(57)【要約】  サイドリンク通信方法、端末及びネットワーク機器を提供する。該方法において、第１ネットワーク機器から送信されたリソース設定情報を第１端末が受信することと、第１ネットワーク機器から送信されたリソース設定情報に第１所定情報が含まれている場合、分散型リソーススケジューリングモードに入って第２端末とサイドリンク通信を行い、そうでない場合、第２ネットワーク機器との接続を確立し、第２ネットワーク機器から送信されたリソース設定情報を受信することと、第２ネットワーク機器から送信されたリソース設定情報に第２所定情報が含まれている場合、分散型リソーススケジューリングモードに入って第２端末とサイドリンク通信を行うことと、第２ネットワーク機器から送信されたリソース設定情報に第３所定情報が含まれている場合、集中型リソーススケジューリングモードに入って第２端末とサイドリンク通信を行うこととを含む。【選択図】  図１
2021534694.tif 000002
【特許請求の範囲】
【請求項１】
サイドリンク通信方法であって、
第１ネットワーク機器から送信されたリソース設定情報を、少なくとも新規無線システムＮＲ通信をサポートする第１端末が受信することと、
前記第１ネットワーク機器から送信されたリソース設定情報に第１所定情報が含まれている場合、分散型リソーススケジューリングモードに入って第２端末とサイドリンク通信を行い、そうでない場合、第２ネットワーク機器との接続を確立し、前記第２ネットワーク機器から送信されたリソース設定情報を受信することと、
前記第２ネットワーク機器から送信されたリソース設定情報に第２所定情報が含まれている場合、前記分散型リソーススケジューリングモードに入って第２端末とサイドリンク通信を行うことと、
前記第２ネットワーク機器から送信されたリソース設定情報に第３所定情報が含まれている場合、集中型リソーススケジューリングモードに入って第２端末とサイドリンク通信を行うこととを含み、
ここで、前記第２ネットワーク機器は、前記第１ネットワーク機器と同一又は異なるネットワーク機器であるサイドリンク通信方法。
【請求項２】
前記リソース設定情報は、新規システム情報ブロックＳＩＢＮｅｗであり、前記ＳＩＢＮｅｗは、システム情報ブロックＳＩＢ２１、システム情報ブロックＳＩＢ２３又はＳＩＢＮを含み、前記ＳＩＢＮは、ＳＩＢ２１、ＳＩＢ２３を除く所定システム情報を含む、請求項１に記載のサイドリンク通信方法。
【請求項３】
前記分散型リソーススケジューリングモードに入って第２端末とサイドリンク通信を行うことは、
前記第１ネットワーク機器から送信されたリソース設定情報のリソースプール情報からリソース選択を行うことと、
選択されたリソースと前記第１所定情報とに基づいて、前記第２端末とサイドリンク通信を行うこととを含む、請求項１に記載のサイドリンク通信方法。
【請求項４】
前記第２所定メッセージは、端末選択メッセージを含み、前記第３所定メッセージは、ユーザスケジューリングメッセージを含む、請求項１に記載のサイドリンク通信方法。
【請求項５】
第２ネットワーク機器との接続を確立し、前記第２ネットワーク機器から送信されたリソース設定情報を受信することは、
前記第２ネットワーク機器との接続を確立し、前記第２ネットワーク機器から送信された無線リソース制御シグナリングＲＲＣメッセージを受信することと、
前記ＲＲＣメッセージに基づいて、前記リソース設定情報を取得することとを含む、請求項４に記載のサイドリンク通信方法。
【請求項６】
集中型リソーススケジューリングモードに入って第２端末とサイドリンク通信を行うことは、
前記第２ネットワーク機器にリソーススケジューリング要求を送信することと、
前記第２ネットワーク機器から送信された集中型リソーススケジューリングモードでのリソース設定情報を受信することと、
前記集中型リソーススケジューリングモードでのリソース設定情報に基づいて、前記第２端末とサイドリンク通信を行うこととを含む、請求項１に記載のサイドリンク通信方法。
【請求項７】
前記第１ネットワーク機器にリソーススケジューリング要求を送信する前に、
前記第２ネットワーク機器と初期化プロセスを行うことを更に含む、請求項６に記載のサイドリンク通信方法。
【請求項８】
前記第２ネットワーク機器から送信された集中型リソーススケジューリングモードでのリソース設定情報を受信することは、
前記第２ネットワーク機器から送信された下り制御情報ＤＣＩ  ＦｏｒｍａｔＮを受信することと、
前記ＤＣＩ  ＦｏｒｍａｔＮに基づいて、集中型リソーススケジューリングモードでのリソース設定情報を取得することとを含む、請求項６に記載のサイドリンク通信方法。
【請求項９】
前記ＤＣＩ  ＦｏｒｍａｔＮは、スケジューリング方式指示、送信トラフィックの時間領域リソース粒度指示、送信トラフィックの時間周波数領域リソース位置指示、クロスキャリアスケジューリング指示、周波数ホッピング指示、周波数ホッピングリソース位置指示、変調復調レベル、帯域幅部分ＢＷＰ指示、及び周波数領域リソースサブキャリア間隔のうちの少なくとも１つを含む、請求項８に記載のサイドリンク通信方法。
【請求項１０】
前記集中型リソーススケジューリングモードでのリソース設定情報に基づいて、前記第２端末とサイドリンク通信を行うことは、
前記集中型リソーススケジューリングモードでのリソース設定情報によって設定されたリソース上で、スケジューリング制御シグナリング及び／又はトラフィック情報を第２端末に送信することを含む、請求項８に記載のサイドリンク通信方法。
【請求項１１】
前記第２ネットワーク機器と初期化プロセスを行う前に、
前記集中型リソーススケジューリングモードでのリソース設定情報を前記第２ネットワーク機器が第１ネットワーク機器から取得することを更に含む、請求項７に記載のサイドリンク通信方法。
【請求項１２】
前記第２端末とサイドリンク通信を行う前に、
前記リソース設定情報によって設定されたリソースのリソース分割及び／又は再割り当てを行うことを更に含む、請求項１に記載のサイドリンク通信方法。
【請求項１３】
前記リソース設定情報は、通信モード指示、サブキャリア間隔指示、送信トラフィックの時間領域リソース粒度指示、送信トラフィックの時間周波数領域リソース位置指示、送受信をサポートするキャリアインデックス、サポート可能なキャリア毎にサポート可能な帯域幅部分ＢＷＰインデックス、帯域幅部分ＢＷＰインデックスに対応するパラメータ、及び時分割多重ＴＤＭ／周波数分割多重ＦＤＭ指示のうちの少なくとも１つを含む、請求項１に記載のサイドリンク通信方法。
【請求項１４】
前記通信モード指示は、分散型リソーススケジューリングモード又は集中型リソーススケジューリングモードを含む、請求項１３に記載のサイドリンク通信方法。
【請求項１５】
前記帯域幅部分ＢＷＰインデックスに対応するパラメータは、トラフィック送信をサポート可能な時間領域リソース粒度と周波数領域リソースサブキャリア間隔設定及び／又は帯域幅部分インデックスに対応する周波数領域リソース位置を含む、請求項１３に記載のサイドリンク通信方法。
【請求項１６】
前記第１ネットワーク機器は、ロングタームエボリューション技術ＬＴＥ、ＬＴＥ−Ａ又はｅＬＴＥをサポートする第１基地局、又はＮＲシステムをサポートする第２基地局であり、前記第２ネットワーク機器は、ＮＲシステムをサポートする第２基地局、又はロングタームエボリューション技術ＬＴＥ、ＬＴＥ−Ａ又はｅＬＴＥをサポートする第１基地局である、請求項１〜１５のいずれか１項に記載のサイドリンク通信方法。
【請求項１７】
前記ＤＣＩ  ＦｏｒｍａｔＮは、半持続スケジューリング活性化／非活性化指示を含む、請求項８に記載のサイドリンク通信方法。
【請求項１８】
端末のサイドリンク通信の制御方法であって、
少なくとも新規無線システムＮＲ通信をサポートする第１端末にリソース設定情報を送信することと、
前記第１ネットワーク機器から送信されたリソース設定情報に第１所定情報が含まれている場合、分散型リソーススケジューリングモードに入って第２端末とサイドリンク通信を行うように端末を制御し、そうでない場合、第２ネットワーク機器との接続を確立するように第１端末を制御し、第２ネットワーク機器から前記第１端末にリソース設定情報を送信することと、
前記第２ネットワーク機器から端末に送信されたリソース設定情報に第２所定情報が含まれている場合、前記分散型リソーススケジューリングモードに入って第２端末とサイドリンク通信を行うように端末を制御することと、
前記第２ネットワーク機器から端末に送信されたリソース設定情報に第３所定情報が含まれている場合、集中型リソーススケジューリングモードに入って第２端末とサイドリンク通信を行うように端末を制御することとを含み、
ここで、前記第２ネットワーク機器は、前記第１ネットワーク機器と同一又は異なるネットワーク機器である端末のサイドリンク通信の制御方法。
【請求項１９】
前記リソース設定情報は、新規システム情報ブロックＳＩＢＮｅｗであり、前記ＳＩＢＮｅｗは、システム情報ブロックＳＩＢ２１、システム情報ブロックＳＩＢ２３又はＳＩＢＮを含み、前記ＳＩＢＮは、ＳＩＢ２１、ＳＩＢ２３を除く所定システム情報を含む、請求項１８に記載の端末のサイドリンク通信の制御方法。
【請求項２０】
集中型リソーススケジューリングモードに入って第２端末とサイドリンク通信を行うように端末を制御することは、
前記第１端末から送信されたリソーススケジューリング要求を受信することと、
集中型リソーススケジューリングモードでのリソース設定情報を前記第１端末に送信することとを含み、
それによって、前記第１端末は、前記集中型リソーススケジューリングモードでのリソース設定情報に基づいて、前記第２端末とサイドリンク通信を行う、請求項１８に記載の端末のサイドリンク通信の制御方法。
【請求項２１】
前記第１端末から送信されたリソーススケジューリング要求を受信する前に、
前記第１端末と初期化プロセスを行うことを更に含む、請求項２０記載の端末のサイドリンク通信の制御方法。
【請求項２２】
集中型リソーススケジューリングモードでのリソース設定情報を前記第１端末に送信することは、
集中型リソーススケジューリングモードでのリソース設定情報が運ばれた下り制御情報ＤＣＩ  ＦｏｒｍａｔＮを前記第１端末に送信することを含む、請求項２０記載の端末のサイドリンク通信の制御方法。
【請求項２３】
前記ＤＣＩ  ＦｏｒｍａｔＮは、スケジューリング方式指示、送信トラフィックの時間領域リソース粒度指示、送信トラフィックの時間周波数領域リソース位置指示、クロスキャリアスケジューリング指示、周波数ホッピング指示、周波数ホッピングリソース位置指示、変調復調レベル、帯域幅部分ＢＷＰ指示、及び周波数領域リソースサブキャリア間隔のうちの少なくとも１つを含む、請求項２２に記載の端末のサイドリンク通信の制御方法。
【請求項２４】
前記第１端末と初期化プロセスを行う前に、
前記集中型リソーススケジューリングモードでのリソース設定情報を前記第２ネットワーク機器が第１ネットワーク機器から取得することを更に含む、請求項２１に記載の端末のサイドリンク通信の制御方法。
【請求項２５】
前記リソース設定情報は、通信モード指示、サブキャリア間隔指示、送信トラフィックの時間領域リソース粒度指示、送信トラフィックの時間周波数領域リソース位置指示、送受信をサポートするキャリアインデックス、サポート可能なキャリア毎にサポート可能な帯域幅部分ＢＷＰインデックス、帯域幅部分ＢＷＰインデックスに対応するパラメータ、及び時分割多重ＴＤＭ／周波数分割多重ＦＤＭ指示のうちの少なくとも１つを含む、請求項１８に記載の端末のサイドリンク通信の制御方法。
【請求項２６】
前記ＤＣＩ  ＦｏｒｍａｔＮは、半持続スケジューリング活性化／非活性化指示を含む、請求項２２に記載の端末のサイドリンク通信の制御方法。
【請求項２７】
新規無線システムＮＲ通信をサポートする第１端末であって、
第１ネットワーク機器から送信されたリソース設定情報を受信するトランシーバと、
前記第１ネットワーク機器から送信されたリソース設定情報に第１所定情報が含まれている場合、分散型リソーススケジューリングモードに入って第２端末とサイドリンク通信を行い、そうでない場合、第２ネットワーク機器との接続を確立し、前記第２ネットワーク機器から送信されたリソース設定情報を受信し、
前記第２ネットワーク機器から送信されたリソース設定情報に第２所定情報が含まれている場合、前記分散型リソーススケジューリングモードに入って第２端末とサイドリンク通信を行い、
前記第２ネットワーク機器から送信されたリソース設定情報に第３所定情報が含まれている場合、集中型リソーススケジューリングモードに入って第２端末とサイドリンク通信を行うプロセッサとを含み、
ここで、前記第２ネットワーク機器は、前記第１ネットワーク機器と同一又は異なるネットワーク機器である端末。
【請求項２８】
新規無線システムＮＲ通信をサポートする第１端末に応用される同期信号ブロックの測定値の測定装置であって、
第１ネットワーク機器から送信されたリソース設定情報を受信する送受信モジュールと、
前記第１ネットワーク機器から送信されたリソース設定情報に第１所定情報が含まれている場合、分散型リソーススケジューリングモードに入って第２端末とサイドリンク通信を行い、そうでない場合、第２ネットワーク機器との接続を確立し、前記第２ネットワーク機器から送信されたリソース設定情報を受信し、
前記第２ネットワーク機器から送信されたリソース設定情報に第２所定情報が含まれている場合、前記分散型リソーススケジューリングモードに入って第２端末とサイドリンク通信を行い、
前記第２ネットワーク機器から送信されたリソース設定情報に第３所定情報が含まれている場合、集中型リソーススケジューリングモードに入って第２端末とサイドリンク通信を行う処理モジュールとを含み、
ここで、前記第２ネットワーク機器は、前記第１ネットワーク機器と同一又は異なるネットワーク機器である同期信号ブロックの測定値の測定装置。
【請求項２９】
第１ネットワーク機器であって、
少なくとも新規無線システムＮＲ通信をサポートする第１端末にリソース設定情報を送信するトランシーバと、
前記第１ネットワーク機器から送信されたリソース設定情報に第１所定情報が含まれている場合、分散型リソーススケジューリングモードに入って第２端末とサイドリンク通信を行うように端末を制御し、そうでない場合、第２ネットワーク機器との接続を確立するように第１端末を制御し、第２ネットワーク機器から前記第１端末にリソース設定情報を送信し、
前記第２ネットワーク機器から端末に送信されたリソース設定情報に第２所定情報が含まれている場合、前記分散型リソーススケジューリングモードに入って第２端末とサイドリンク通信を行うように端末を制御し、
前記第２ネットワーク機器から端末に送信されたリソース設定情報に第３所定情報が含まれている場合、集中型リソーススケジューリングモードに入って第２端末とサイドリンク通信を行うように端末を制御するプロセッサとを含み、
ここで、前記第２ネットワーク機器は、前記第１ネットワーク機器と同一又は異なるネットワーク機器であるネットワーク機器。
【請求項３０】
第１ネットワーク機器に応用される端末のサイドリンク通信の制御装置であって、
少なくとも新規無線システムＮＲ通信をサポートする第１端末にリソース設定情報を送信する送受信モジュールと、
前記第１ネットワーク機器から送信されたリソース設定情報に第１所定情報が含まれている場合、分散型リソーススケジューリングモードに入って第２端末とサイドリンク通信を行うように端末を制御し、そうでない場合、第２ネットワーク機器との接続を確立するように第１端末を制御し、第２ネットワーク機器から前記第１端末にリソース設定情報を送信し、
前記第２ネットワーク機器から端末に送信されたリソース設定情報に第２所定情報が含まれている場合、前記分散型リソーススケジューリングモードに入って第２端末とサイドリンク通信を行うように端末を制御し、
前記第２ネットワーク機器から端末に送信されたリソース設定情報に第３所定情報が含まれている場合、集中型リソーススケジューリングモードに入って第２端末とサイドリンク通信を行うように端末を制御する処理モジュールとを含み、
ここで、前記第２ネットワーク機器は、前記第１ネットワーク機器と同一又は異なるネットワーク機器である端末のサイドリンク通信の制御装置。
【請求項３１】
少なくとも新規無線システムＮＲ通信をサポートする第１端末であって、
第１ネットワーク機器から送信されたリソース設定情報を受信する機能と、
前記第１ネットワーク機器から送信されたリソース設定情報に第１所定情報が含まれている場合、分散型リソーススケジューリングモードに入って第２端末とサイドリンク通信を行い、そうでない場合、第２ネットワーク機器との接続を確立し、前記第２ネットワーク機器から送信されたリソース設定情報を受信する機能と、
前記第２ネットワーク機器から送信されたリソース設定情報に第２所定情報が含まれている場合、前記分散型リソーススケジューリングモードに入って第２端末とサイドリンク通信を行う機能と、
前記第２ネットワーク機器から送信されたリソース設定情報に第３所定情報が含まれている場合、集中型リソーススケジューリングモードに入って第２端末とサイドリンク通信を行う機能とを実行するように設定されたプロセッサを含み、
ここで、前記第２ネットワーク機器は、前記第１ネットワーク機器と同一又は異なるネットワーク機器である端末。
【請求項３２】
第１ネットワーク機器であって、
少なくとも新規無線システムＮＲ通信をサポートする第１端末にリソース設定情報を送信する機能と、
前記第１ネットワーク機器から送信されたリソース設定情報に第１所定情報が含まれている場合、分散型リソーススケジューリングモードに入って第２端末とサイドリンク通信を行うように端末を制御し、そうでない場合、第２ネットワーク機器との接続を確立するように第１端末を制御し、第２ネットワーク機器から前記第１端末にリソース設定情報を送信する機能と、
前記第２ネットワーク機器から端末に送信されたリソース設定情報に第２所定情報が含まれている場合、前記分散型リソーススケジューリングモードに入って第２端末とサイドリンク通信を行うように端末を制御する機能と、
前記第２ネットワーク機器から端末に送信されたリソース設定情報に第３所定情報が含まれている場合、集中型リソーススケジューリングモードに入って第２端末とサイドリンク通信を行うように端末を制御する機能とを実行するように設定されたプロセッサを含み、
ここで、前記第２ネットワーク機器は、前記第１ネットワーク機器と同一又は異なるネットワーク機器であるネットワーク機器。
【請求項３３】
指令を含むコンピュータ記憶媒体であって、
前記指令がコンピュータで実行されると、請求項１〜１７のいずれか１項に記載の方法又は１８〜２６のいずれか１項に記載の方法をコンピュータに実行させる、コンピュータ記憶媒体。
【発明の詳細な説明】
【技術分野】
【０００１】
関連出願の相互参照
本願は、２０１８年８月１０日に中国特許庁に提出された中国特許出願２０１８１０９１２１２９．８の優先権、及び２０１８年８月１３日に中国特許庁に提出された中国特許出願２０１８１０９１８２４７．Ｘの優先権を主張し、その全ての内容が援用によりここに取り込まれる。
本開示は、通信技術分野に係り、特にサイドリンク通信方法、端末及びネットワーク機器に係る。
【背景技術】
【０００２】
３ＧＰＰのＬＴＥ（Ｌｏｎｇ  Ｔｅｒｍ  Ｅｖｏｌｕｔｉｏｎ）  Ｖ２Ｘ（Ｖｅｈｉｃｌｅ−ｔｏ−Ｅｖｅｒｙｔｈｉｎｇ）の通信システムにおいて、基地局と端末との間は、Ｕｕインタフェース（ユーザ端末とネットワークとのエアインタフェース）を介して上り／下りリンク通信が行われ、端末と端末との間は、ＰＣ５インタフェースである近距離通信ポート５（Ｐｒｏｘｉｍｉｔｙ  Ｃｏｍｍｕｎｉｃａｔｉｏｎ  Ｐｏｒｔ５）を介してサイドリンク（Ｓｉｄｅｌｉｎｋ）通信が行われる。関連技術におけるＬＴＥ  Ｖ２Ｘ技術は、以下の２つの動作モードをサポートする。
端末競合モード：このモードでは、システムにおけるユーザ機器又は端末ＵＥ（Ｕｓｅｒ  ｅｑｕｉｐｍｅｎｔ）の送信リソース割り当てと変調符号化スキームＭＣＳ（Ｍｏｄｕｌａｔｉｏｎ  ａｎｄ  Ｃｏｄｉｎｇ  Ｓｃｈｅｍｅ）フォーマットは、端末により完全に自律的（分散的）に決定され、「知覚＋半持続的占有」の方法で分散型スケジューリング機能を実現し、基地局の介在を必要としない。ＬＴＥ  Ｖ２Ｖ規格では、Ｍｏｄｅ２と呼ばれ、ＬＴＥ  Ｖ２Ｘ及び後続の規格では、Ｍｏｄｅ４（分散型リソーススケジューリングモード）と呼ばれる。
基地局スケジューリングモード：このモードでは、ＵＥのＰＣ５インタフェース送信リソースとＭＣＳは、いずれもＬＴＥ基地局によって決定される。ここで、ＬＴＥ基地局のＵｕインタフェースから端末にスケジューリングシグナリングを送信し、端末は、Ｕｕインタフェースを介して基地局に測定情報を報告することもできる。ＬＴＥ  Ｖ２Ｖ規格では、Ｍｏｄｅ１と呼ばれ、ＬＴＥ  Ｖ２Ｘ及び後続の規格では、Ｍｏｄｅ３（集中型リソーススケジューリングモード）と呼ばれる。
【０００３】
基地局スケジューリングモードでは、システム内のリソース割り当ては、基地局によって主導的又は補助的に行われる。カバレッジ内Ｕｕインタフェース通信は、主としてＶ２Ｘの情報をＵｕインタフェースを介して転送する。このプロセスは、関連技術におけるＬＴＥの大部分のメカニズムに従うものである。上りでは、ユニキャスト（Ｕｎｉｃａｓｔ）の方式が採用され、Ｖ２Ｘ端末は、情報を基地局（ｅＮＢ）に送信する。下りでは、基地局ｅＮＢは、ブロードキャスト（ｂｒｏａｄｃａｓｔ）又はマルチキャスト（Ｍｕｌｔｉｃａｓｔ）の方式で他のＶ２Ｘ端末に情報を送信する。Ｖ２Ｘ端末（ＵＥ）とＬＴＥ基地局ネットワークとの結合度に応じて、主に以下の動作方式に分けられる。
ＵＥは、Ｍｏｄｅ３モードで動作する。ＬＴＥ基地局は、Ｕｕインタフェース（２．６ＧＨｚ）を介してパラメータ設定及びスケジューリングシグナリングをＵＥに送信し、専用周波数帯域（５．９ＧＨｚ）でＰＣ５インタフェースを介して通信するＵＥをクロスキャリアで設定してスケジューリングする。これは、カバレッジ内の動的スケジューリングに属する。
ＵＥは、Ｍｏｄｅ４モードで動作する。ＬＴＥ基地局は、Ｕｕインタフェース（２．６ＧＨｚ）を介してリソース設定パラメータをＵＥに送信する。ＵＥは、受信した後に、これらの設定済みリソースを専用周波数帯域（５．９ＧＨｚ）で使用して、ＰＣ５インタフェースを介して他のＵＥと通信する。これは、カバレッジ内の半静的設定に属する。
ＵＥは、セルラーネットワーク支援を全く伴わずにＭｏｄｅ４モードで動作する。全てのＵＥは、事前に設定されたパラメータを採用し、且つ事前に設定されたパラメータは、専用周波数帯域（５．９ＧＨｚ）で動作することを明らかに指定する。これは、カバレッジ外のシナリオに属する。
【０００４】
ＬＴＥ  Ｖ２Ｘスペクトルの割り当て状況に応じて、ＬＴＥ  Ｖ２Ｘは、ＰＣ５インタフェースの専用キャリア（５．９ＧＨｚ）での通信と、セルラ共有キャリア（２．６ＧＨｚ）でのＵｕインタフェース通信とをそれぞれサポートする。Ｅ−ＵＴＲＡＮ（ＬＴＥ）ネットワークカバレッジ内では、Ｖ２Ｘのノードは、受信したシグナリング内の設定情報に基づいて、このノードがＭｏｄｅ３かそれともＭｏｄｅ４の方式で通信しているかを判断する。このようなシグナリングは、システム情報ブロックＳＩＢ２１（ＳｙｓｔｅｍＩｎｆｏｒｍａｔｉｏｎＢｌｏｃｋ２１）及び無線リソース制御ＲＲＣ（Ｒａｄｉｏ  Ｒｅｓｏｕｒｃｅ  Ｃｏｎｔｒｏｌ）再設定メッセージを含む。
【０００５】
しかしながら、ＮＲの開発の初期において、ＮＲ技術に基づく端末機器は、デュアルモジュール設計を含み、即ちＬＴＥ通信モジュールとＮＲ通信モジュールとを同時に含み、端末機器がＬＴＥ  Ｕｕを介してｓｉｄｅｌｉｎｋインタフェースと通信できるとともに、ＮＲ  Ｕｕを介してｓｉｄｅｌｉｎｋと通信できることを可能にする。
【０００６】
ＬＴＥセルラーネットワークカバレッジでは、ＮＲ端末は、デュアルモジュールであり、即ちＬＴＥ通信モジュールとＮＲ通信モジュールを同時に含む。ＬＴＥ基地局（ｅＮＢ）は、Ｕｕインタフェースを介して端末のＮＲモジュールと通信し、リソース割り当てを行い、端末のＮＲ  ｓｉｄｅｌｉｎｋ通信を制御する。関連技術におけるｅＮＢは、関連技術のプロトコルに従ってＳＩＢ２１メッセージ及びＲＲＣ再設定メッセージをアイドル（ＩＤＬＥ）状態のＶ２Ｘ端末に送信して、通信モードが集中型リソーススケジューリングモード（Ｍｏｄｅ３）であるか分散型リソーススケジューリングモード（Ｍｏｄｅ４）であるかをしか判断できない。一方、ＮＲ  Ｖ２Ｘ端末は、更新された技術、設計及び構造標準を採用する。従って、ｅＮＢから送信されたＳＩＢ２１及びＲＲＣ再設定メッセージをＮＲ  Ｖ２Ｘ端末が正常に受信して解読することができるかは、関連技術において直面している問題である。
【発明の概要】
【発明が解決しようとする課題】
【０００７】
本開示の実施例は、ＮＲ  Ｖ２Ｘ端末が他の端末とサイドリンク通信を正常に行うことができることを保証するサイドリンク通信方法、端末及びネットワーク機器を提供する。
【課題を解決するための手段】
【０００８】
上記技術課題を解決するために、本開示の実施例は、サイドリンク通信方法を提供し、第１ネットワーク機器から送信されたリソース設定情報を、少なくとも新規無線システムＮＲ通信をサポートする第１端末が受信することと、前記第１ネットワーク機器から送信されたリソース設定情報に第１所定情報が含まれている場合、分散型リソーススケジューリングモードに入って第２端末とサイドリンク通信を行い、そうでない場合、前記第１ネットワーク機器と同一又は異なるネットワーク機器である第２ネットワーク機器との接続を確立し、前記第２ネットワーク機器から送信されたリソース設定情報を受信することと、前記第２ネットワーク機器から送信されたリソース設定情報に第２所定情報が含まれている場合、前記分散型リソーススケジューリングモードに入って第２端末とサイドリンク通信を行うことと、前記第２ネットワーク機器から送信されたリソース設定情報に第３所定情報が含まれている場合、集中型リソーススケジューリングモードに入って第２端末とサイドリンク通信を行うこととを含む。
【０００９】
ここで、前記リソース設定情報は、新規システム情報ブロックＳＩＢＮｅｗであり、前記ＳＩＢＮｅｗは、システム情報ブロックＳＩＢ２１、システム情報ブロックＳＩＢ２３又はＳＩＢＮを含み、前記ＳＩＢＮは、ＳＩＢ２１、ＳＩＢ２３を除く所定システム情報を含む。
【００１０】
ここで、前記分散型リソーススケジューリングモードに入って第２端末とサイドリンク通信を行うことは、前記第１ネットワーク機器から送信されたリソース設定情報のリソースプール情報からリソース選択を行うことと、選択されたリソースと前記第１所定情報とに基づいて、前記第２端末とサイドリンク通信を行うこととを含む。
【００１１】
ここで、前記第２所定メッセージは、端末選択メッセージを含み、前記第３所定メッセージは、ユーザスケジューリングメッセージを含む。
【００１２】
ここで、第２ネットワーク機器との接続を確立し、前記第２ネットワーク機器から送信されたリソース設定情報を受信することは、前記第２ネットワーク機器との接続を確立し、前記第２ネットワーク機器から送信された無線リソース制御シグナリングＲＲＣメッセージを受信することと、前記ＲＲＣメッセージに基づいて、前記リソース設定情報を取得することとを含む。
【００１３】
ここで、集中型リソーススケジューリングモードに入って第２端末とサイドリンク通信を行うことは、前記第２ネットワーク機器にリソーススケジューリング要求を送信することと、前記第２ネットワーク機器から送信された集中型リソーススケジューリングモードでのリソース設定情報を受信することと、前記集中型リソーススケジューリングモードでのリソース設定情報に基づいて、前記第２端末とサイドリンク通信を行うこととを含む。
【００１４】
ここで、前記方法は、前記第１ネットワーク機器にリソーススケジューリング要求を送信する前に、前記第２ネットワーク機器と初期化プロセスを行うことを更に含む。
【００１５】
ここで、前記第２ネットワーク機器から送信された集中型リソーススケジューリングモードでのリソース設定情報を受信することは、前記第２ネットワーク機器から送信された下り制御情報ＤＣＩ  ＦｏｒｍａｔＮを受信することと、前記ＤＣＩ  ＦｏｒｍａｔＮに基づいて、集中型リソーススケジューリングモードでのリソース設定情報を取得することとを含む。
【００１６】
ここで、前記ＤＣＩ  ＦｏｒｍａｔＮは、スケジューリング方式指示、送信トラフィックの時間領域リソース粒度指示、送信トラフィックの時間周波数領域リソース位置指示、クロスキャリアスケジューリング指示、周波数ホッピング指示、周波数ホッピングリソース位置指示、変調復調レベル、帯域幅部分ＢＷＰ指示、及び周波数領域リソースサブキャリア間隔のうちの少なくとも１つを含む。
【００１７】
本開示の一部実施例において、前記ＤＣＩ  ＦｏｒｍａｔＮは、半持続スケジューリング活性化／非活性化指示を含む。
【００１８】
ここで、前記集中型リソーススケジューリングモードでのリソース設定情報に基づいて、前記第２端末とサイドリンク通信を行うことは、前記集中型リソーススケジューリングモードでのリソース設定情報によって設定されたリソース上で、スケジューリング制御シグナリング及び／又はトラフィック情報を第２端末に送信することを含む。
【００１９】
ここで、前記第２ネットワーク機器と初期化プロセスを行う前に、前記集中型リソーススケジューリングモードでのリソース設定情報を前記第２ネットワーク機器が第１ネットワーク機器から取得することを更に含む。
【００２０】
ここで、前記第２端末とサイドリンク通信を行う前に、前記方法は、前記リソース設定情報によって設定されたリソースのリソース分割及び／又は再割り当てを行うことを更に含む。
【００２１】
ここで、前記リソース設定情報は、通信モード指示、サブキャリア間隔指示、送信トラフィックの時間領域リソース粒度指示、送信トラフィックの時間周波数領域リソース位置指示、送受信をサポートするキャリアインデックス、サポート可能なキャリア毎にサポート可能な帯域幅部分ＢＷＰインデックス、帯域幅部分ＢＷＰインデックスに対応するパラメータ、及び時分割多重ＴＤＭ／周波数分割多重ＦＤＭ指示のうちの少なくとも１つを含む。
【００２２】
ここで、前記通信モード指示は、分散型リソーススケジューリングモード又は集中型リソーススケジューリングモードを含む。
【００２３】
ここで、前記帯域幅部分ＢＷＰインデックスに対応するパラメータは、トラフィック送信をサポート可能な時間領域リソース粒度と周波数領域リソースサブキャリア間隔設定及び／又は帯域幅部分インデックスに対応する周波数領域リソース位置を含む。
【００２４】
ここで、前記第１ネットワーク機器は、ロングタームエボリューション技術ＬＴＥ、ＬＴＥ−Ａ又はｅＬＴＥをサポートする第１基地局、又はＮＲシステムをサポートする第２基地局であり、前記第２ネットワーク機器は、ＮＲシステムをサポートする第２基地局、又はロングタームエボリューション技術ＬＴＥ、ＬＴＥ−Ａ又はｅＬＴＥをサポートする第１基地局である。
【００２５】
本開示の実施例は、端末のサイドリンク通信の制御方法を更に提供し、少なくとも新規無線システムＮＲ通信をサポートする第１端末にリソース設定情報を送信することと、前記第１ネットワーク機器から送信されたリソース設定情報に第１所定情報が含まれている場合、分散型リソーススケジューリングモードに入って第２端末とサイドリンク通信を行うように端末を制御し、そうでない場合、前記第１ネットワーク機器と同一又は異なるネットワーク機器である第２ネットワーク機器との接続を確立するように第１端末を制御し、第２ネットワーク機器から前記第１端末にリソース設定情報を送信することと、前記第２ネットワーク機器から端末に送信されたリソース設定情報に第２所定情報が含まれている場合、前記分散型リソーススケジューリングモードに入って第２端末とサイドリンク通信を行うように端末を制御することと、前記第２ネットワーク機器から端末に送信されたリソース設定情報に第３所定情報が含まれている場合、集中型リソーススケジューリングモードに入って第２端末とサイドリンク通信を行うように端末を制御することとを含む。
【００２６】
ここで、前記リソース設定情報は、新規システム情報ブロックＳＩＢＮｅｗであり、前記ＳＩＢＮｅｗは、システム情報ブロックＳＩＢ２１、システム情報ブロックＳＩＢ２３又はＳＩＢＮを含み、前記ＳＩＢＮは、ＳＩＢ２１、ＳＩＢ２３を除く所定システム情報を含む。
【００２７】
ここで、集中型リソーススケジューリングモードに入って第２端末とサイドリンク通信を行うように端末を制御することは、前記第１端末から送信されたリソーススケジューリング要求を受信することと、集中型リソーススケジューリングモードでのリソース設定情報を前記第１端末に送信することとを含み、それによって、前記第１端末は、前記集中型リソーススケジューリングモードでのリソース設定情報に基づいて、前記第２端末とサイドリンク通信を行う。
【００２８】
ここで、前記第１端末から送信されたリソーススケジューリング要求を受信する前に、前記方法は、前記第１端末と初期化プロセスを行うことを更に含む。
【００２９】
ここで、集中型リソーススケジューリングモードでのリソース設定情報を前記第１端末に送信することは、集中型リソーススケジューリングモードでのリソース設定情報が運ばれた下り制御情報ＤＣＩ  ＦｏｒｍａｔＮを前記第１端末に送信することを含む。
【００３０】
ここで、前記ＤＣＩ  ＦｏｒｍａｔＮは、スケジューリング方式指示、送信トラフィックの時間領域リソース粒度指示、送信トラフィックの時間周波数領域リソース位置指示、クロスキャリアスケジューリング指示、周波数ホッピング指示、周波数ホッピングリソース位置指示、変調復調レベル、帯域幅部分ＢＷＰ指示、及び周波数領域リソースサブキャリア間隔のうちの少なくとも１つを含む。
【００３１】
本開示の一部実施例において、前記ＤＣＩ  ＦｏｒｍａｔＮは、半持続スケジューリング活性化／非活性化指示を含む。
【００３２】
ここで、前記方法は、前記第１端末と初期化プロセスを行う前に、前記集中型リソーススケジューリングモードでのリソース設定情報を前記第２ネットワーク機器が第１ネットワーク機器から取得することを更に含む。
【００３３】
ここで、前記リソース設定情報は、通信モード指示、サブキャリア間隔指示、送信トラフィックの時間領域リソース粒度指示、送信トラフィックの時間周波数領域リソース位置指示、送受信をサポートするキャリアインデックス、サポート可能なキャリア毎にサポート可能な帯域幅部分ＢＷＰインデックス、帯域幅部分ＢＷＰインデックスに対応するパラメータ、及び時分割多重ＴＤＭ／周波数分割多重ＦＤＭ指示のうちの少なくとも１つを含む。
【００３４】
本開示の実施例は、端末を更に提供する。前記端末は、新規無線システムＮＲ通信をサポートする第１端末であって、第１ネットワーク機器から送信されたリソース設定情報を受信するトランシーバと、前記第１ネットワーク機器から送信されたリソース設定情報に第１所定情報が含まれている場合、分散型リソーススケジューリングモードに入って第２端末とサイドリンク通信を行い、そうでない場合、前記第１ネットワーク機器と同一又は異なるネットワーク機器である第２ネットワーク機器との接続を確立し、前記第２ネットワーク機器から送信されたリソース設定情報を受信し、前記第２ネットワーク機器から送信されたリソース設定情報に第２所定情報が含まれている場合、前記分散型リソーススケジューリングモードに入って第２端末とサイドリンク通信を行い、前記第２ネットワーク機器から送信されたリソース設定情報に第３所定情報が含まれている場合、集中型リソーススケジューリングモードに入って第２端末とサイドリンク通信を行うプロセッサとを含む。
【００３５】
本開示の実施例は、新規無線システムＮＲ通信をサポートする第１端末に応用される同期信号ブロックの測定値の測定装置を更に提供し、第１ネットワーク機器から送信されたリソース設定情報を受信する送受信モジュールと、前記第１ネットワーク機器から送信されたリソース設定情報に第１所定情報が含まれている場合、分散型リソーススケジューリングモードに入って第２端末とサイドリンク通信を行い、そうでない場合、前記第１ネットワーク機器と同一又は異なるネットワーク機器である第２ネットワーク機器との接続を確立し、前記第２ネットワーク機器から送信されたリソース設定情報を受信し、前記第２ネットワーク機器から送信されたリソース設定情報に第２所定情報が含まれている場合、前記分散型リソーススケジューリングモードに入って第２端末とサイドリンク通信を行い、前記第２ネットワーク機器から送信されたリソース設定情報に第３所定情報が含まれている場合、集中型リソーススケジューリングモードに入って第２端末とサイドリンク通信を行う処理モジュールとを含む。
【００３６】
本開示の実施例は、ネットワーク機器を更に提供する。前記ネットワーク機器は、第１ネットワーク機器であって、少なくとも新規無線システムＮＲ通信をサポートする第１端末にリソース設定情報を送信するトランシーバと、前記第１ネットワーク機器から送信されたリソース設定情報に第１所定情報が含まれている場合、分散型リソーススケジューリングモードに入って第２端末とサイドリンク通信を行うように端末を制御し、そうでない場合、前記第１ネットワーク機器と同一又は異なるネットワーク機器である第２ネットワーク機器との接続を確立するように第１端末を制御し、第２ネットワーク機器から前記第１端末にリソース設定情報を送信し、前記第２ネットワーク機器から端末に送信されたリソース設定情報に第２所定情報が含まれている場合、前記分散型リソーススケジューリングモードに入って第２端末とサイドリンク通信を行うように端末を制御し、前記第２ネットワーク機器から端末に送信されたリソース設定情報に第３所定情報が含まれている場合、集中型リソーススケジューリングモードに入って第２端末とサイドリンク通信を行うように端末を制御するプロセッサとを含む。
【００３７】
本開示の実施例は、第１ネットワーク機器に応用される端末のサイドリンク通信の制御装置を更に提供し、少なくとも新規無線システムＮＲ通信をサポートする第１端末にリソース設定情報を送信する送受信モジュールと、前記第１ネットワーク機器から送信されたリソース設定情報に第１所定情報が含まれている場合、分散型リソーススケジューリングモードに入って第２端末とサイドリンク通信を行うように端末を制御し、そうでない場合、前記第１ネットワーク機器と同一又は異なるネットワーク機器である第２ネットワーク機器との接続を確立するように第１端末を制御し、第２ネットワーク機器から前記第１端末にリソース設定情報を送信し、前記第２ネットワーク機器から端末に送信されたリソース設定情報に第２所定情報が含まれている場合、前記分散型リソーススケジューリングモードに入って第２端末とサイドリンク通信を行うように端末を制御し、前記第２ネットワーク機器から端末に送信されたリソース設定情報に第３所定情報が含まれている場合、集中型リソーススケジューリングモードに入って第２端末とサイドリンク通信を行うように端末を制御する処理モジュールとを含む。
【００３８】
本開示の実施例は、端末を更に提供する。前記端末は、少なくとも新規無線システムＮＲ通信をサポートする第１端末であって、第１ネットワーク機器から送信されたリソース設定情報を受信する機能と、前記第１ネットワーク機器から送信されたリソース設定情報に第１所定情報が含まれている場合、分散型リソーススケジューリングモードに入って第２端末とサイドリンク通信を行い、そうでない場合、前記第１ネットワーク機器と同一又は異なるネットワーク機器である第２ネットワーク機器との接続を確立し、前記第２ネットワーク機器から送信されたリソース設定情報を受信する機能と、前記第２ネットワーク機器から送信されたリソース設定情報に第２所定情報が含まれている場合、前記分散型リソーススケジューリングモードに入って第２端末とサイドリンク通信を行う機能と、前記第２ネットワーク機器から送信されたリソース設定情報に第３所定情報が含まれている場合、集中型リソーススケジューリングモードに入って第２端末とサイドリンク通信を行う機能とを実行するように設定されたプロセッサを含む。
【００３９】
本開示の実施例は、ネットワーク機器を更に提供する。前記ネットワーク機器は、第１ネットワーク機器であって、少なくとも新規無線システムＮＲ通信をサポートする第１端末にリソース設定情報を送信する機能と、前記第１ネットワーク機器から送信されたリソース設定情報に第１所定情報が含まれている場合、分散型リソーススケジューリングモードに入って第２端末とサイドリンク通信を行うように端末を制御し、そうでない場合、前記第１ネットワーク機器と同一又は異なるネットワーク機器である第２ネットワーク機器との接続を確立するように第１端末を制御し、第２ネットワーク機器から前記第１端末にリソース設定情報を送信する機能と、前記第２ネットワーク機器から端末に送信されたリソース設定情報に第２所定情報が含まれている場合、前記分散型リソーススケジューリングモードに入って第２端末とサイドリンク通信を行うように端末を制御する機能と、前記第２ネットワーク機器から端末に送信されたリソース設定情報に第３所定情報が含まれている場合、集中型リソーススケジューリングモードに入って第２端末とサイドリンク通信を行うように端末を制御する機能とを実行するように設定されたプロセッサを含む。
【００４０】
本開示の実施例は、指令を含むコンピュータ記憶媒体を更に提供し、前記指令がコンピュータで実行されると、上記の方法をコンピュータに実行させる。
【発明の効果】
【００４１】
本開示の上記実施例において、第１ネットワーク機器から送信されたリソース設定情報を、少なくとも新規無線システムＮＲ通信をサポートする第１端末が受信し、前記第１ネットワーク機器から送信されたリソース設定情報に第１所定情報が含まれている場合、分散型リソーススケジューリングモードに入って第２端末とサイドリンク通信を行い、そうでない場合、前記第１ネットワーク機器と同一又は異なるネットワーク機器である第２ネットワーク機器との接続を確立し、前記第２ネットワーク機器から送信されたリソース設定情報を受信し、前記第２ネットワーク機器から送信されたリソース設定情報に第２所定情報が含まれている場合、前記分散型リソーススケジューリングモードに入って第２端末とサイドリンク通信を行い、前記第２ネットワーク機器から送信されたリソース設定情報に第３所定情報が含まれている場合、集中型リソーススケジューリングモードに入って第２端末とサイドリンク通信を行う。それによって、ＮＲ  Ｖ２Ｘ端末が、ＮＲ端末のサイドリンク（ＮＲ  ｓｉｄｅｌｉｎｋ）通信を他の端末と正常に行うことができることを保証する。ＮＲ  Ｖ２Ｘ端末の通信範囲を拡大し、リソース（プール）の利用効率を高め、システムの性能と安定性を向上させる。
【図面の簡単な説明】
【００４２】
【図１】本開示に係るサイドリンク通信方法のフローチャートを示す。
【図２】本開示に係るセルラーネットワークカバレッジ内のＶ２Ｘノード通信モードの決定プロセス（共有又は専用キャリア）を示す。
【図３】本開示の実施例１に係るＵＥがＭｏｄｅ３（集中型リソーススケジューリングモード）に入って基地局のスケジューリングに応じてＰＣ５インタフェース通信を行うフローチャートを示す。
【図４】本開示の実施例２に係るＵＥがＭｏｄｅ３（集中型リソーススケジューリングモード）に入って基地局のスケジューリングに応じてＰＣ５インタフェース通信を行うフローチャートを示す。
【図５】本開示の実施例４に係るＵＥがＭｏｄｅ３（集中型リソーススケジューリングモード）に入って基地局のスケジューリングに応じてＰＣ５インタフェース通信を行うフローチャートを示す。
【図６】本開示の実施例６に係るＵＥがＭｏｄｅ３（集中型リソーススケジューリングモード）に入って基地局のスケジューリングに応じてＰＣ５インタフェース通信を行うフローチャートを示す。
【図７】本開示の実施例８に係るＵＥがＭｏｄｅ３（集中型リソーススケジューリングモード）に入って基地局のスケジューリングに応じてＰＣ５インタフェース通信を行うフローチャートを示す。
【図８】本開示に係る端末のアーキテクチャを示す。
【図９】本開示に係るネットワーク機器のアーキテクチャを示す。
【発明を実施するための形態】
【００４３】
以下、添付図面を参照して本開示の例示的な実施例を更に詳細に記載する。本開示の例示的な実施例を図面に示しているが、本開示は、ここで説明した実施例に限定されることなく様々な形態で実現できることが理解されるべきである。これらの実施例を示すことは、本開示をより徹底的に理解してもらい、本開示の範囲を当業者に全面的に伝えるためである。
【００４４】
本開示は、ＮＲ  Ｖ２Ｘ端末のサイドリンク伝送を、ＬＴＥ  Ｕｕインタフェース通信に基づくネットワーク機器（例えば、基地局）とＮＲ  Ｕｕインタフェース通信に基づくネットワーク機器（例えば、基地局）とが、別々に、又は、協調して設定し、スケジューリングする方法を提供する。ＮＲ  Ｖ２Ｘ端末（ＵＥ）は、デュアルモジュール（ＬＴＥモジュールとＮＲモジュールとを含む）であってもよいし、ＮＲモジュールのみを含むシングルモジュールであってもよい。
【００４５】
本開示の実施例において、ＮＲ  Ｖ２Ｘ端末は、ＬＴＥ基地局によって設定してスケジューリングされてもよいし、ＮＲ基地局とともに設定してスケジューリングされてもよいし、ＬＴＥ基地局とＮＲ基地局の両方によって協調して設定してスケジューリングされてもよい。
【００４６】
このとき、ＵＥは、Ｕｕインタフェースを介してＮＲ基地局からの制御シグナリングのみを監視することを選択してもよいし、ＬＴＥ基地局とＮＲ基地局の制御シグナリングを同時に監視することを選択してもよい。
【００４７】
上記のいずれかであることを確認した後、基地局は、Ｕｕインタフェースを介してＮＲ端末と通信し、ＳＩＢメッセージとＲＲＣ再設定メッセージ又は他システムメッセージを送信し、ＵＥの動作モードを決定する。ここでのＳＩＢｎは、ＬＴＥ技術におけるＳＩＢ２１であってもよいし、新規のＳＩＢメッセージであってもよい。ＲＲＣ再設定メッセージは、ＬＴＥ技術におけるＲＲＣメッセージであってもよいし、新しい任意の他の再設定メッセージであってもよい。
【００４８】
基地局がＵＥに送信する設定、スケジューリング情報内容、即ち、上記ＳＩＢメッセージ及びＲＲＣ再設定メッセージ又は他のシステムメッセージは、通信モード指示、サブキャリア間隔指示、送信トラフィックの時間領域リソース粒度指示、送信トラフィックの時間周波数領域リソース位置指示、送受信をサポートするキャリアインデックス、サポート可能なキャリア毎にサポート可能な帯域幅部分ＢＷＰインデックス、帯域幅部分ＢＷＰインデックスに対応するパラメータ、及び時分割多重ＴＤＭ／周波数分割多重ＦＤＭ指示のうちの少なくとも１つの情報を含む。ここで、帯域幅部分ＢＷＰインデックスに対応するパラメータは、トラフィック送信をサポート可能な時間領域リソース粒度と周波数領域リソースサブキャリア間隔設定及び／又は帯域幅部分インデックスに対応する周波数領域リソース位置を含む。
【００４９】
任意選択で、ＵＥが動作モードを決定した後、ＬＴＥ基地局は、ＵＥのＰＣ５インタフェースを介するサイドリンクでの通信を設定してスケジューリングするために、Ｕｕインタフェースを介して下り制御情報ＤＣＩ  ｆｏｒｍａｔＮを送信する。ＤＣＩ  ｆｏｒｍａｔＮの設計は、ＤＣＩ  ｆｏｒｍａｔ５Ａ、ＤＣＩ  ｆｏｒｍａｔ０＿０／０＿１／１＿０／１＿１の全部又は一部の内容を参照又は借用するほか、スケジューリング方式指示、送信トラフィックの時間領域リソース粒度指示、送信トラフィックの時間周波数領域リソース位置指示、クロスキャリアスケジューリング指示、周波数ホッピング指示、周波数ホッピングリソース位置指示、変調復調レベル、帯域幅部分ＢＷＰ指示、及び周波数領域リソースサブキャリア間隔のうちの少なくとも１つの指示フィールドを含む。ＮＲ基地局がＬＴＥ基地局との接続を確立すると、ＬＴＥネットワークは、Ｘ２インタフェースを使用してＮＲネットワークのＸｎインタフェースと通信する。ＮＲ基地局は、ＮＲ  ｓｉｄｅｌｉｎｋの関連設定情報（リソースプール設定、スケジューリングシグナリングなどを含むが、これらに限定されない）をＬＴＥ基地局に送信する。ＬＴＥ基地局は、これらの設定情報をＳＩＢｎ及びＲＲＣ再設定メッセージの形態でＵｕインタフェースを介してＮＲ端末に送信して、ＮＲ  ｓｉｄｅｌｉｎｋ通信を設定してスケジューリングする。
【００５０】
図１に示すように、本開示の実施例は、サイドリンク通信方法を提供し、以下のステップを含む。
ステップ１１において、少なくとも新規無線システムＮＲ通信をサポートする第１端末は、第１ネットワーク機器から送信されたリソース設定情報を受信する。
ステップ１２において、前記第１ネットワーク機器から送信されたリソース設定情報に第１所定情報が含まれている場合、ステップ１３に進む。
ステップ１３において、前記第１端末は、分散型リソーススケジューリングモードに入って第２端末とサイドリンク通信を行い、そうでない場合、ステップ１４に進む。
ステップ１４において、前記第１端末は、第２ネットワーク機器との接続を確立し、前記第２ネットワーク機器から送信されたリソース設定情報を受信する。
ステップ１５において、前記第２ネットワーク機器から送信されたリソース設定情報に第２所定情報が含まれている場合、ステップ１３に進む。即ち、前記第１端末は、前記分散型リソーススケジューリングモードに入って第２端末とサイドリンク通信を行う。
ステップ１６において、前記第２ネットワーク機器から送信されたリソース設定情報に第３所定情報が含まれている場合、集中型リソーススケジューリングモードに入って第２端末とサイドリンク通信を行う。
【００５１】
前記第２ネットワーク機器は、前記第１ネットワーク機器と同一又は異なる。ここの第１端末は、ＮＲ  Ｖ２Ｘ端末（ＵＥ）であり、具体的にはデュアルモジュール（ＬＴＥモジュール及びＮＲモジュール）であってよく、ＮＲモジュールのみを含むシングルモジュールであってもよい。
【００５２】
ここでのリソース設定情報は、新規システム情報ブロックＳＩＢＮｅｗであり、前記ＳＩＢＮｅｗは、システム情報ブロックＳＩＢ２１、システム情報ブロックＳＩＢ２３又はＳＩＢＮを含み、前記ＳＩＢＮは、ＳＩＢ２１、ＳＩＢ２３を除く所定システム情報を含む。
【００５３】
前記リソース設定情報は、通信モード指示、サブキャリア間隔指示、送信トラフィックの時間領域リソース粒度指示、送信トラフィックの時間周波数領域リソース位置指示、送受信をサポートするキャリアインデックス、サポート可能なキャリア毎にサポート可能な帯域幅部分ＢＷＰインデックス、帯域幅部分ＢＷＰインデックス毎に対応するパラメータ、及び時分割多重ＴＤＭ（Ｔｉｍｅ−Ｄｉｖｉｓｉｏｎ  Ｍｕｌｔｉｐｌｅｘｉｎｇ）／周波数分割多重ＦＤＭ（Ｆｒｅｑｕｅｎｃｙ  Ｄｉｖｉｓｉｏｎ  Ｍｕｌｔｉｐｌｅｘｉｎｇ）指示のうちの少なくとも１つを含む。前記帯域幅部分ＢＷＰインデックス毎に対応するパラメータは、トラフィック送信をサポート可能な時間領域リソース粒度と周波数領域リソースサブキャリア間隔設定及び／又は帯域幅部分インデックスに対応する周波数領域リソース位置を含む。
【００５４】
ここでのリソース設定情報は、ＳＩＢメッセージ及びＲＲＣ再設定メッセージ又は他のシステムメッセージによって設定される。
【００５５】
前記第１所定情報は、通信モード指示を含む。通信モード指示は、分散型リソーススケジューリングモード又は集中型リソーススケジューリングモードを含む。
【００５６】
前記第２所定メッセージは、Ｚ１を含む。Ｚ１は、他の任意の名称で置き換えることができる。前記第３所定メッセージは、Ｚ２を含む。Ｚ２は、他の任意の名称で置き換えることができる。ここで、第２ネットワーク機器から送信されたリソース設定情報は、セルラーネットワークカバレッジ内のＶ２Ｘノード通信モードの決定プロセス（共有キャリア又は専用キャリア）におけるＳＬ−Ｖ２Ｘ−ＣｏｎｆｉｇＤｅｄｉｃａｔｅｄ−ｒ１４メッセージであり、Ｚ１は、ｕｅ−Ｓｅｌｅｃｔｅｄ−ｒ１４メッセージ（即ち、端末選択メッセージ）であり、Ｚ２は、ｓｃｈｅｄｕｌｅｄ−ｒ１４メッセージ（即ち、スケジューリングメッセージ）である。
【００５７】
本開示の１つの具体的な実施例において、ステップ１３は、前記第１ネットワーク機器から送信されたリソース設定情報のリソースプール情報からリソース選択を行うステップ１３１と、選択されたリソースと前記第１所定情報とに基づいて、前記第２端末とサイドリンク通信を行うステップ１３２とを含む。
【００５８】
このステップにおいて、第１端末は、第１ネットワーク機器から送信されたリソース設定情報に基づいて、分散型リソーススケジューリングモード（即ち、Ｍｏｄｅｌ４）に入って第２端末とサイドリンク通信を行う。
【００５９】
本開示の１つの具体的な実施例において、ステップ１４は、前記第２ネットワーク機器との接続を確立し、前記第２ネットワーク機器から送信された無線リソース制御シグナリングＲＲＣメッセージを受信するステップ１４１と、前記ＲＲＣメッセージに基づいて、前記第２ネットワーク機器のリソース設定情報を取得するステップ１４２とを含む。
【００６０】
第２ネットワーク機器のリソース設定情報を取得した後、前記第２ネットワーク機器から送信されたリソース設定情報に第２所定情報が含まれている場合、分散型リソーススケジューリングモード（即ち、Ｍｏｄｅｌ４）に入って第２端末とサイドリンク通信を行い、そうでない場合、ステップ１６に進む。このステップ１６は、具体的には、ステップ１６１、ステップ１６２及びステップ１６３を含む。
【００６１】
ステップ１６１において、前記第１端末は、Ｕｕインタフェースを介して前記第２ネットワーク機器にリソーススケジューリング要求を送信する。
【００６２】
ステップ１６２において、前記第２ネットワーク機器から送信された集中型リソーススケジューリングモードでのリソース設定情報を受信する。具体的には、前記第２ネットワーク機器から送信された下り制御情報ＤＣＩ  ＦｏｒｍａｔＮ（即ち、スケジューリング割り当てシグナリング及びトラフィックデータの認可スケジューリングＳｃｈｅｄｕｌｉｎｇ  ｇｒａｎｔ  ｆｏｒ  ＳＡ（Ｓｃｈｅｄｕｌｉｎｇ  Ａｓｓｉｇｎｍｅｎｔ）  ａｎｄ  ｄａｔａ）を受信し、前記ＤＣＩ  ＦｏｒｍａｔＮに基づいて、集中型リソーススケジューリングモードでのリソース設定情報を取得する。
【００６３】
ここのＤＣＩ  ＦｏｒｍａｔＮは、スケジューリング方式指示、送信トラフィックの時間領域リソース粒度指示、送信トラフィックの時間周波数領域リソース位置指示、クロスキャリアスケジューリング指示、周波数ホッピング指示、周波数ホッピングリソース位置指示、変調復調レベル、帯域幅部分ＢＷＰ指示、及び周波数領域リソースサブキャリア間隔のうちの少なくとも１つを含む。
【００６４】
本開示の一部実施例において、前記ＤＣＩ  ＦｏｒｍａｔＮは、半持続スケジューリング活性化／非活性化指示（ｓｅｍｉ−ｐｅｒｓｉｓｔｅｎｔ  ｓｃｈｅｄｕｌｉｎｇ  ａｃｔｉｖａｔｉｏｎ／ｄｅａｃｔｉｖａｔｉｏｎ  ｉｎｄｉｃａｔｏｒ）を含む。
【００６５】
本開示の一部実施例において、ＳＡは、ｓｉｄｅｌｉｎｋの制御情報ＳＣＩ（Ｓｉｄｅｌｉｎｋ  Ｃｏｎｔｒｏｌ  Ｉｎｆｏｒｍａｔｉｏｎ）を含む。
【００６６】
ステップ１６３において、前記集中型リソーススケジューリングモードでのリソース設定情報に基づいて、前記第２端末とサイドリンク通信を行う。具体的には、リソース設定情報によって設定されたリソース上で、スケジューリング割り当てシグナリングＳＡ（ＳＡ（Ｓｃｈｅｄｕｌｉｎｇ  Ａｓｓｉｇｎｍｅｎｔ）  ｏｎ  ｇｒａｎｔｅｄ  ｒｅｓｏｕｒｃｅ  ）及び／又はトラフィック信号（Ｄａｔａ  ｏｎ  ｇｒａｎｔｅｄ  ｒｅｓｏｕｒｃｅ）を第２端末に送信する。
【００６７】
更に、この実施例において、第１端末が前記第２ネットワーク機器へリソーススケジューリング要求を送信するステップ１６１の前に、前記第１端末がＵｕインタフェースを介して前記第２ネットワーク機器と初期化プロセスを行うステップ１６０を更に含む。ここで、初期化プロセス（Ｉｎｉｔｉａｌｉｚａｔｉｏｎ）は、第１端末と第２ネットワーク機器との間の関連情報の設定等を含む。１つの選択可能な実施例において、前記第１端末がＵｕインタフェースを介して前記第２ネットワーク機器と初期化プロセスを行う前に、前記第２ネットワーク機器から第１端末に送信されたリソース設定情報を、第２ネットワーク機器が前記第３ネットワーク機器から取得することを更に含む。ここの第３ネットワーク機器は、前記第１ネットワーク機器又は第２ネットワーク機器とは同じであってもよいし異なっていってもよい。
【００６８】
ここで、第２ネットワーク機器と第３ネットワーク機器との間は、Ｘ２又はＸｎインタフェースを介して通信する。
【００６９】
本開示の別の実施例において、ステップ１３で前記第２端末とサイドリンク通信を行う前に、第１ネットワーク機器から送信されたリソース設定情報によって設定されたリソースのリソース分割及び／又は再割り当てを行うことを更に含む。それによって、より細かい粒度のリソース分割を実現し、ＮＲ端末の細かい粒度のリソースに対する要求が満たされる。
【００７０】
本開示の別の実施例において、ステップ１６で前記第２端末とサイドリンク通信を行う前に、第２ネットワーク機器から送信されたリソース設定情報によって設定されたリソースのリソース分割及び／又は再割り当てを行うことを更に含む。それによって、より細かい粒度のリソース分割を実現し、ＮＲ端末の細かい粒度のリソースに対する要求が満たされる。
【００７１】
本開示の上記すべての実施例において、前記第１ネットワーク機器は、ロングタームエボリューション技術ＬＴＥ、ＬＴＥ−Ａ又はｅＬＴＥをサポートする第１基地局又はＮＲシステムをサポートする第２基地局であり、前記第２ネットワーク機器は、ＮＲシステムをサポートする第２基地局又はロングタームエボリューション技術ＬＴＥ、ＬＴＥ−Ａ又はｅＬＴＥをサポートする第１基地局である。
【００７２】
以下、具体的な実施例を参照しながら、上記方法の具体的な実施過程を説明する。
【００７３】
例１：図２に示すように、第１端末（例えば、アイドル（ＩＤＬＥ）状態のＵＥ１）がＳＩＢ２１（ＳｙｓｔｅｍＩｎｆｏｒｍａｔｉｏｎＢｌｏｃｋ２１）（例えばＬＴＥ基地局である第１ネットワーク機器からのリソース設定情報）を受信すると、ＵＥ１は、ＳＩＢ２１内のＸ（例えば、ＳＬ−Ｖ２Ｘ−ＣｏｎｆｉｇＣｏｍｍｏｎ−ｒ１４）に送信リソースプールの情報Ｙ（例えば、Ｖ２Ｘ−ＣｏｍｍＴｘＰｏｏｌＮｏｒｍａｌＣｏｍｍｏｎ−ｒ１４）が含まれているか否かをチェックする。ＩＤＬＥ状態のＵＥ１が受信したＳＩＢ２１に送信リソースプールの情報Ｙが含まれている場合、ＩＤＬＥ状態のＵＥ１は、分散型リソーススケジューリングモード（Ｍｏｄｅ４）に入り、該リソースプールの情報Ｙを直接利用してリソース選択プロセスを行い、選択されたリソースを用いて第２端末とサイドリンク通信を行う。
【００７４】
ＩＤＬＥ状態のＵＥ１がＳＩＢ２１を受信した場合、ＳＩＢ２１内のＸに送信リソースプールの情報Ｙが含まれていないことをＵＥがチェックして確認すると、ＩＤＬＥ状態のＵＥ１は、接続状態に入るＲＲＣ接続プロセスを開始する（ここで、第１ネットワーク機器と同じ又は異なる第２ネットワーク機器との接続を確立する）。ＵＥ１が第２ネットワーク機器から受信したリソース設定情報（例えばＲＲＣ再設定メッセージ）の中のＺ（例えば、ＳＬ−Ｖ２Ｘ−ＣｏｎｆｉｇＤｅｄｉｃａｔｅｄ−ｒ１４）にＺ１（例えばｕｅ−Ｓｅｌｅｃｔｅｄ−ｒ１４）が含まれていると、ＵＥ１は、分散型リソーススケジューリングモード（Ｍｏｄｅ４）に入り、設定されたリソースプール情報を用いてリソース選択プロセスを行う。
【００７５】
ＩＤＬＥ状態のＵＥ１がＳＩＢ２１を受信した場合、ＳＩＢ２１内のＸに送信リソースプールの情報Ｙが含まれていないことをＵＥがチェックして確認すると、ＩＤＬＥ状態のＵＥ１は、接続状態に入るＲＲＣ接続プロセスを開始する（ここで、第１ネットワーク機器と同じ又は異なる第２ネットワーク機器との接続を確立する）。ＵＥ１が第２ネットワーク機器から受信したリソース設定情報（例えばＲＲＣ再設定メッセージ）の中のＺ（例えばＳＬ−Ｖ２Ｘ−ＣｏｎｆｉｇＤｅｄｉｃａｔｅｄ−ｒ１４）にＺ２（例えばｓｃｈｅｄｕｌｅｄ−ｒ１４）が含まれていると、ＵＥ１は、Ｍｏｄｅ３（集中型リソーススケジューリングモード）に入り、基地局のスケジューリングに応じてＰＣ５インタフェース通信を行う。
【００７６】
具体的には、図３に示すように、ＵＥ１（トランスミッター（ｔｒａｎｓｍｉｔｔｅｒ））が集中型リソーススケジューリングモード（Ｍｏｄｅ３）に入り、基地局のスケジューリングに応じて、ＰＣ５インタフェース通信を行うことは、以下を含む。
ＵＥ１は、トラフィック関連情報（パケットサイズ、トラフィック周期など）、位置情報などを含む、ＵＥ１のリソーススケジューリング要求及び支援情報を、Ｕｕインタフェースを介してＬＴＥ基地局（第２ネットワーク機器）に報告する。
ＬＴＥ基地局は、ＮＲ  ｓｉｄｅｌｉｎｋ  Ｍｏｄｅ３リソース占有状況を設定する。
ＬＴＥ基地局は、ＤＣＩ  ｆｏｒｍａｔ  ＮスケジューリングシグナリングをＵＥ１に送信する。
該ＵＥ１は、ＤＣＩ  ｆｏｒｍａｔ  Ｎで指示される情報に基づいて、第２端末ＵＥ２（レシーバ（ｒｅｃｅｉｖｅｒ））とＮＲ  ｓｉｄｅｌｉｎｋ通信を行う。
【００７７】
例２：
図２に示すように、第１端末（例えば、ＩＤＬＥ状態のＵＥ１）がＳＩＢ２１（ＳｙｓｔｅｍＩｎｆｏｒｍａｔｉｏｎＢｌｏｃｋ２１）（例えばＬＴＥ基地局である第１ネットワーク機器からのリソース設定情報）を受信すると、ＵＥ１は、ＳＩＢ２１内のＸ（例えば、ＳＬ−Ｖ２Ｘ−ＣｏｎｆｉｇＣｏｍｍｏｎ−ｒ１４）に送信リソースプールの情報Ｙ（例えば、Ｖ２Ｘ−ＣｏｍｍＴｘＰｏｏｌＮｏｒｍａｌＣｏｍｍｏｎ−ｒ１４）が含まれているか否かをチェックする。ＩＤＬＥ状態のＵＥ１が受信したＳＩＢ２１に送信リソースプールの情報Ｙが含まれている場合、ＩＤＬＥ状態のＵＥ１は、分散型リソーススケジューリングモード（Ｍｏｄｅ４）に入り、該リソースプールの情報Ｙを利用して、更にリソース分割、再割り当てなどの動作を行い、それからリソース選択プロセスに入り、選択されたリソースを用いて第２端末とサイドリンク通信を行う。
【００７８】
ＩＤＬＥ状態のＵＥ１がＳＩＢ２１を受信した場合、ＳＩＢ２１内のＸに送信リソースプールの情報Ｙが含まれていないことをＵＥ１がチェックして確認すると、ＩＤＬＥ状態のＵＥ１は、接続状態に入るＲＲＣ接続プロセスを開始する（ここで、第１ネットワーク機器と同じ又は異なる第２ネットワーク機器との接続を確立する）。ＵＥ１が第２ネットワーク機器から受信したリソース設定情報（例えばＲＲＣ再設定メッセージ）の中のＺ（例えば、ＳＬ−Ｖ２Ｘ−ＣｏｎｆｉｇＤｅｄｉｃａｔｅｄ−ｒ１４）にＺ１（例えばｕｅ−Ｓｅｌｅｃｔｅｄ−ｒ１４）が含まれていると、ＵＥ１は、分散型リソーススケジューリングモード（Ｍｏｄｅ４）に入り、該ＲＲＣ再設定メッセージによって設定されたリソースを用いて、更にリソース分割、再割り当てなどの動作を行う。
【００７９】
ＩＤＬＥ状態のＵＥ１がＳＩＢ２１を受信した場合、ＳＩＢ２１内のＸに送信リソースプールの情報Ｙが含まれていないことをＵＥ１がチェックして確認すると、ＩＤＬＥ状態のＵＥ１は、接続状態に入るＲＲＣ接続プロセスを開始する（ここで、第１ネットワーク機器と同じ又は異なる第２ネットワーク機器との接続を確立する）。ＵＥ１が第２ネットワーク機器から受信したリソース設定情報（例えばＲＲＣ再設定メッセージ）の中のＺ（例えばＳＬ−Ｖ２Ｘ−ＣｏｎｆｉｇＤｅｄｉｃａｔｅｄ−ｒ１４）にＺ２（例えばｓｃｈｅｄｕｌｅｄ−ｒ１４）が含まれていると、ＵＥ１は、Ｍｏｄｅ３（集中型リソーススケジューリングモード）に入り、基地局のスケジューリングに応じてＰＣ５インタフェース通信を行う。
【００８０】
具体的には、図４に示すように、ＵＥ１（トランスミッター（ｔｒａｎｓｍｉｔｔｅｒ））がＭｏｄｅ３（集中型リソーススケジューリングモード）に入り、基地局のスケジューリングに応じて、ＰＣ５インタフェース通信を行うことは、以下を含む。
ＵＥ１は、トラフィック関連情報（パケットサイズ、トラフィック周期など）、位置情報などを含む、ＵＥ１のリソーススケジューリング要求及び支援情報を、Ｕｕインタフェースを介してＬＴＥ基地局（第２ネットワーク機器）に報告する。
ＬＴＥ基地局は、ＮＲ  ｓｉｄｅｌｉｎｋ  Ｍｏｄｅ３リソース占有状況を設定する。
ＬＴＥ基地局は、ＤＣＩ  ｆｏｒｍａｔＮスケジューリングシグナリングをＵＥ１に送信する。
該ＵＥ１は、ＤＣＩ  ｆｏｒｍａｔＮで指示される情報に基づいて、ＳＩＢ２１又はＲＲＣによって再設定されたリソースを更に組み合わせて、分割して、リソースプールを効率的に利用する。
該ＵＥ１は、ＵＥ２（レシーバ（ｒｅｃｅｉｖｅｒ））とＮＲ  ｓｉｄｅｌｉｎｋ通信を行う。
【００８１】
この実施例では、ＳＩＢ２１に含まれるリソース設定情報は、ＬＴＥ基地局によって設定されるが、ＮＲネットワークは、様々なサブキャリア間隔（１５ｋＨｚ、３０ｋＨｚ、６０ｋＨｚ、１２０ｋＨｚ）、ＢＷＰ、より短い送信スロットｓｌｏｔなどの新しい特性を採用する。従って、ＮＲ  ＵＥ１は、ＳＩＢ２１及びＲＲＣによって再設定されたリソースを更に組み合わせて、分割して、リソースプールを効率的に利用する。
【００８２】
ＵＥ１は、ＬＴＥ基地局によって設定されたリソースを、ＮＲにおけるより小さい粒度で分割、再割り当て（ｒｅ−ｃｏｎｆｉｇｕｒａｔｉｏｎ）をし、これらの分割リソースを用いてＰＣ５インタフェースを介して他のＵＥとｓｉｄｅｌｉｎｋ通信を行う。
【００８３】
例３：
この例３は、ＳｙｓｔｅｍＩｎｆｏｒｍａｔｉｏｎＢｌｏｃｋ２１（ＳＩＢ２１）が他のシステムメッセージ又はＳＩＢｎ（例えばＳＩＢ２３であり、それに限定されない）によって置き換えられることが可能であることを除いて、例１と同じである。
【００８４】
例４：
この例４におけるＵＥの動作モードの決定は、図２に示されるように、例１と同じである。しかし、端末がＭｏｄｅｌ３に入りＵＥ２とＮＲ  ｓｉｄｅｌｉｎｋ通信を行う場合、図５に示すように、ＮＲ基地局は、ＬＴＥ基地局と通信を確立し、ＬＴＥ基地局は、ＮＲ基地局と接続しＸ２又はＸｎインタフェースを使用する。ＮＲ基地局は、ＮＲ  ｓｉｄｅｌｉｎｋの設定、スケジューリングなどの情報（即ちリソース設定情報）をＬＴＥ基地局に送信する。ＬＴＥ基地局は、これらの設定、スケジューリングなどの情報をＳＩＢ２１に載せてＵＥ１に設定する。
【００８５】
例５：
この例４におけるＵＥの動作モードの決定は、図２に示されるように、例２と同じである。しかし、端末がＭｏｄｅｌ３に入りＵＥ２とＮＲ  ｓｉｄｅｌｉｎｋ通信を行う場合、ＮＲ基地局は、ＬＴＥ基地局と通信を確立し、ＬＴＥ基地局は、ＮＲ基地局と接続してＸ２又はＸｎインタフェースを使用する。ＮＲ基地局は、ＮＲ  ｓｉｄｅｌｉｎｋの設定、スケジューリングなどの情報（即ちリソース設定情報）をＬＴＥ基地局に送信する。ＬＴＥ基地局は、これらの設定、スケジューリングなどの情報をＳＩＢｎに載せてＵＥ１に設定する。
【００８６】
例６：
図２に示すように、第１端末（例えば、ＩＤＬＥ状態のＵＥ１）がＳＩＢｎ（ＳｙｓｔｅｍＩｎｆｏｒｍａｔｉｏｎＢｌｏｃｋｎ）（例えばＮＲ基地局である第１ネットワーク機器からのリソース設定情報）を受信すると、ＵＥ１は、ＳＩＢｎ内のＸ（例えば、ＳＬ−Ｖ２Ｘ−ＣｏｎｆｉｇＣｏｍｍｏｎ−ｒ１４）に送信リソースプールの情報Ｙ（例えば、Ｖ２Ｘ−ＣｏｍｍＴｘＰｏｏｌＮｏｒｍａｌＣｏｍｍｏｎ−ｒ１４）が含まれているか否かをチェックする。ＩＤＬＥ状態のＵＥ１が受信したＳＩＢｎに送信リソースプールの情報Ｙ（例えば、Ｖ２Ｘ−ＣｏｍｍＴｘＰｏｏｌＮｏｒｍａｌＣｏｍｍｏｎ−ｒ１４）が含まれている場合、ＩＤＬＥ状態のＵＥ１は、分散型リソーススケジューリングモード（Ｍｏｄｅ４）に入り、該リソースプールの情報Ｙを直接利用してリソース選択プロセスを行う。
【００８７】
ＩＤＬＥ状態のＵＥ１がＳＩＢｎを受信した場合、ＳＩＢｎ内のＸに送信リソースプールの情報Ｙが含まれていないことをＵＥ１がチェックして確認すると、ＩＤＬＥ状態のＵＥ１は、接続状態に入るＲＲＣ接続プロセスを開始する（ここで、第１ネットワーク機器と同じ又は異なる第２ネットワーク機器との接続を確立する）。ＵＥ１が第２ネットワーク機器から受信したリソース設定情報（例えばＲＲＣ再設定メッセージ）の中のＺ（例えば、ＳＬ−Ｖ２Ｘ−ＣｏｎｆｉｇＤｅｄｉｃａｔｅｄ−ｒ１４）にＺ１（例えばｕｅ−Ｓｅｌｅｃｔｅｄ−ｒ１４）が含まれていると、ＵＥは、分散型リソーススケジューリングモード（Ｍｏｄｅ４）に入り、ＲＲＣ再設定メッセージによって設定されたリソースを用いてリソース選択プロセスを行う。
【００８８】
ＩＤＬＥ状態のＵＥ１がＳＩＢｎを受信した場合、ＳＩＢｎ内のＸに送信リソースプールの情報Ｙが含まれていないことをＵＥがチェックして確認すると、ＩＤＬＥ状態のＵＥ１は、接続状態に入るＲＲＣ接続プロセスを開始する（ここで、第１ネットワーク機器と同じ又は異なる第２ネットワーク機器との接続を確立する）。ＵＥ１が第２ネットワーク機器から受信したリソース設定情報（例えばＲＲＣ再設定メッセージ）の中のＺ（例えばＳＬ−Ｖ２Ｘ−ＣｏｎｆｉｇＤｅｄｉｃａｔｅｄ−ｒ１４）にＺ２（例えばｓｃｈｅｄｕｌｅｄ−ｒ１４）が含まれていると、ＵＥ１は、集中型リソーススケジューリングモード（Ｍｏｄｅ３）に入り、基地局のスケジューリングに応じて、ＰＣ５インタフェース通信を行う。
【００８９】
具体的には、図６に示すように、ＵＥ１が集中型リソーススケジューリングモード（Ｍｏｄｅ３）に入り、基地局のスケジューリングに応じて、ＰＣ５インタフェース通信を行うことは、以下を含む。
ＵＥ１（トランスミッター（ｔｒａｎｓｍｉｔｔｅｒ））は、トラフィック関連情報（パケットサイズ、トラフィック周期など）、位置情報などを含む、ＵＥ１のリソーススケジューリング要求及び支援情報を、Ｕｕインタフェースを介してＮＲ基地局に報告する。
ＮＲ基地局は、ＮＲ  ｓｉｄｅｌｉｎｋ  Ｍｏｄｅ３リソース占有状況を設定する。
ＮＲ基地局は、ＤＣＩ  ｆｏｒｍａｔＮスケジューリングシグナリングをＵＥ１に送信する。
該ＵＥ１は、ＤＣＩ  ｆｏｒｍａｔＮで指示される情報に基づいて、ＵＥ２（レシーバ（ｒｅｃｅｉｖｅｒ））とＮＲ  ｓｉｄｅｌｉｎｋ通信を行う。
【００９０】
例７：
ＮＲネットワークとＬＴＥネットワークカバレッジが同時に存在する場合、デュアルモジュールのＮＲ基地局は、ＮＲ  Ｕｕを介してＬＴＥ  ｓｉｄｅｌｉｎｋ及びＮＲ  ｓｉｄｅｌｉｎｋを設定してスケジューリングする。この実施例では、ＮＲ基地局は、ＬＴＥモジュールとＮＲモジュールとを含み、ＮＲモジュールは、上記の例６のような方法に従って端末１とやり取りし、ＵＥ１がＵＥ２とＮＲ  ｓｉｄｅｌｉｎｋ通信を行うように制御する。ＬＴＥモジュールは、実施例１から５のいずれかのような方法に従って、端末１とやり取りし、ＵＥ１がＵＥ２とＮＲ  ｓｉｄｅｌｉｎｋ通信を行うように制御する。
【００９１】
実施例８：
この例８におけるＵＥの動作モードの決定は、図２に示すように、例６と同じである。しかし、端末がＭｏｄｅｌ３に入りＵＥ２とＮＲ  ｓｉｄｅｌｉｎｋ通信を行う場合、図７に示すように、ＮＲ基地局は、ＬＴＥ基地局との通信を確立し、ＬＴＥ基地局は、ＮＲ基地局と接続しＸ２又はＸｎインタフェースを使用する。ＬＴＥ基地局は、ＬＴＥ  ｓｉｄｅｌｉｎｋの設定、スケジューリングなどの情報をＮＲ基地局に送信し、ＮＲ基地局は、これらの設定、スケジューリングなどの情報をシステムメッセージ、ＳＩＢ２１及びＲＲＣ再設定メッセージに載せる。
【００９２】
ＮＲ基地局は、Ｕｕインタフェースを介してＮＲ  ｓｉｄｅｌｉｎｋとＬＴＥ  ｓｉｄｅｌｉｎｋを設定してスケジューリングし、このときデュアルモジュールＵＥは、ＮＲ  Ｕｕインタフェースのメッセージを監視すればよい。
【００９３】
本開示の上記実施例において、ＳＩＢｎは、ＳＩＢ２３（それに限られない）等の他の任意の名称で置き換えることができる。Ｍｏｄｅ３及びＭｏｄｅ４は、Ｍｏｄｅ５及びＭｏｄｅ６（それに限られない）などの任意の他の名称で置き換えることができる。Ｘ、Ｙ、Ｚ、Ｚ１、Ｚ２は、他の任意の名称で置き換えることができる。Ｘｎインタフェースは、Ｘ３（それに限られない）などの他の任意の名称で置き換えることができる。ＬＴＥをサポートする第１基地局は、４Ｇのすべての基地局を広く指し、ＬＴＥ基地局、ＬＴＥ−Ａ基地局などを含む。ＵＥ１、ＵＥ２は、ＮＲ  Ｖ２Ｘ端末、路側機器など、ｓｉｄｅｌｉｎｋ通信を行う機器である。ＮＲ基地局及びＬＴＥ基地局は、Ｕｕインタフェースを介してＮＲ端末にＳＩＢｎを送信してＮＲ  ｓｉｄｅｌｉｎｋ通信を制御し、通信モード決定、リソースプール設定などを含む。ＳＩＢｎに含まれるリソース（プール）設定情報は、ＳＩＢ２１と異なる。ＬＴＥ基地局がＵｕインタフェースを介して送信するＳＩＢ２１設定メッセージをＮＲ端末に送信すると、ＮＲ端末は、得られたリソース（プール）を更に割り当て、分割して、リソースをより効率的に利用する。ＮＲネットワークとＬＴＥネットワークは、独立して動作し、両者は、同じコアネットワークにアクセスすることも、異なるコアネットワークにアクセスすることもできる。ＮＲネットワーク（基地局）は、Ｘ２インタフェース又はＸｎインタフェースを介してＬＴＥネットワーク（基地局）と接続を確立することによって通信し、ＮＲ  ｓｉｄｅｌｉｎｋリソース設定、スケジューリングなどの情報を交換する。
【００９４】
本開示の上記実施例は、ＬＴＥとＮＲ  Ｖ２Ｘとの通信に応用される。ＮＲ基地局とＬＴＥ基地局がＵｕインタフェースを介してＮＲ  ｓｉｄｅｌｉｎｋを制御してスケジューリングする方法により、ＮＲ  Ｖ２Ｘ端末の通信範囲を拡大し、リソース（プール）の利用効率を高め、システムの性能と安定性を向上させる。
【００９５】
本開示の実施例は、端末を更に提供する。前記端末は、新規無線システムＮＲ通信をサポートする第１端末であって、第１ネットワーク機器から送信されたリソース設定情報を受信するトランシーバと、前記第１ネットワーク機器から送信されたリソース設定情報に第１所定情報が含まれている場合、分散型リソーススケジューリングモードに入って第２端末とサイドリンク通信を行い、そうでない場合、前記第１ネットワーク機器と同一又は異なるネットワーク機器である第２ネットワーク機器との接続を確立し、前記第２ネットワーク機器から送信されたリソース設定情報を受信し、前記第２ネットワーク機器から送信されたリソース設定情報に第２所定情報が含まれている場合、前記分散型リソーススケジューリングモード（Ｍｏｄｅ４）に入って第２端末とサイドリンク通信を行い、前記第２ネットワーク機器から送信されたリソース設定情報に第３所定情報が含まれている場合、集中型リソーススケジューリングモード（Ｍｏｄｅ３）に入って第２端末とサイドリンク通信を行うプロセッサとを含む。
【００９６】
前記リソース設定情報は、新規システム情報ブロックＳＩＢＮｅｗであり、前記ＳＩＢＮｅｗは、システム情報ブロックＳＩＢ２１、システム情報ブロックＳＩＢ２３又はＳＩＢＮを含み、前記ＳＩＢＮは、ＳＩＢ２１、ＳＩＢ２３を除く所定システム情報を含む。
【００９７】
前記分散型リソーススケジューリングモードに入って第２端末とサイドリンク通信を行う場合、前記プロセッサは、前記第１ネットワーク機器から送信されたリソース設定情報のリソースプール情報から、設定されたリソースプール情報を利用してリソース選択を行い、選択されたリソースと前記第１所定情報とに基づいて、前記第２端末とサイドリンク通信を行う。
【００９８】
前記第２所定メッセージは、端末選択メッセージを含み、前記第３所定メッセージは、ユーザスケジューリングメッセージを含む。
【００９９】
第２ネットワーク機器との接続を確立し、前記第２ネットワーク機器から送信されたリソース設定情報を受信する場合、前記プロセッサは、前記第２ネットワーク機器との接続を確立し、前記第２ネットワーク機器から送信された無線リソース制御シグナリングＲＲＣメッセージを受信し、前記ＲＲＣメッセージに基づいて、前記リソース設定情報を取得する。
【０１００】
集中型リソーススケジューリングモードに入って第２端末とサイドリンク通信を行う場合、前記プロセッサは、前記第２ネットワーク機器にリソーススケジューリング要求をＵｕインタフェースを介して送信し、前記第２ネットワーク機器から送信された集中型リソーススケジューリングモードでのリソース設定情報を受信し、前記集中型リソーススケジューリングモードでのリソース設定情報に基づいて、前記第２端末とサイドリンク通信を行う。
【０１０１】
前記第１ネットワーク機器にリソーススケジューリング要求をＵｕインタフェースを介して送信する前に、前記プロセッサは、Ｕｕインタフェースを介して前記第２ネットワーク機器と初期化プロセスを行う。
【０１０２】
前記第２ネットワーク機器から送信された集中型リソーススケジューリングモードでのリソース設定情報を受信することは、前記第２ネットワーク機器から送信された下り制御情報ＤＣＩ  ＦｏｒｍａｔＮを受信することと、前記ＤＣＩ  ＦｏｒｍａｔＮに基づいて、集中型リソーススケジューリングモードでのリソース設定情報を取得することとを含む。
【０１０３】
ここで、前記ＤＣＩ  ＦｏｒｍａｔＮは、スケジューリング方式指示、送信トラフィックの時間領域リソース粒度指示、送信トラフィックの時間周波数領域リソース位置指示、クロスキャリアスケジューリング指示、周波数ホッピング指示、周波数ホッピングリソース位置指示、変調復調レベル、帯域幅部分ＢＷＰ指示、及び周波数領域リソースサブキャリア間隔のうちの少なくとも１つを含む、請求項８に記載のサイドリンク通信方法。
【０１０４】
ここで、本開示の一部実施例において、前記ＤＣＩ  ＦｏｒｍａｔＮは、半持続スケジューリング活性化／非活性化指示を含む。
【０１０５】
前記集中型リソーススケジューリングモードでのリソース設定情報に基づいて、前記第２端末とサイドリンク通信を行う場合、前記プロセッサは、前記集中型リソーススケジューリングモードでのリソース設定情報によって設定されたリソース上で、スケジューリング制御シグナリングＳＡ及び／又はトラフィック情報を第２端末に送信する。
【０１０６】
前記第１端末がＵｕインタフェースを介して前記第２ネットワーク機器と初期化プロセスを行う前に、前記プロセッサは、更に、前記集中型リソーススケジューリングモードでのリソース設定情報を前記第２ネットワーク機器が第１ネットワーク機器から取得する。
【０１０７】
前記第２端末とサイドリンク通信を行う前に、前記プロセッサは、更に、前記リソース設定情報によって設定されたリソースのリソース分割及び／又は再割り当てを行う。
【０１０８】
ここで、前記リソース設定情報は、通信モード指示、サブキャリア間隔指示、送信トラフィックの時間領域リソース粒度指示、送信トラフィックの時間周波数領域リソース位置指示、送受信をサポートするキャリアインデックス、サポート可能なキャリア毎にサポート可能な帯域幅部分ＢＷＰインデックス、帯域幅部分ＢＷＰインデックスに対応するパラメータ、及び時分割多重ＴＤＭ／周波数分割多重ＦＤＭ指示のうちの少なくとも１つを含む。
【０１０９】
ここで、前記通信モード指示は、分散型リソーススケジューリングモード又は集中型リソーススケジューリングモードを含む。
【０１１０】
ここで、前記帯域幅部分ＢＷＰインデックスに対応するパラメータは、トラフィック送信をサポート可能な時間領域リソース粒度と周波数領域リソースサブキャリア間隔設定及び／又は帯域幅部分インデックスに対応する周波数領域リソース位置を含む。
【０１１１】
上記実施例において、前記第１ネットワーク機器は、ロングタームエボリューション技術ＬＴＥ、ＬＴＥ−Ａ又はｅＬＴＥをサポートする第１基地局、又はＮＲシステムをサポートする第２基地局であり、前記第２ネットワーク機器は、ＮＲシステムをサポートする第２基地局、又はロングタームエボリューション技術ＬＴＥ、ＬＴＥ−Ａ又はｅＬＴＥをサポートする第１基地局である。
【０１１２】
上記方法実施例におけるすべての実現方式は、いずれも該端末の実施例に適用し、同じ技術効果を奏することもできる。
【０１１３】
本開示の実施例は、新規無線システムＮＲ通信をサポートする第１端末に応用される同期信号ブロックの測定値の測定装置を更に提供し、第１ネットワーク機器から送信されたリソース設定情報を受信する送受信モジュールと、前記第１ネットワーク機器から送信されたリソース設定情報に第１所定情報が含まれている場合、分散型リソーススケジューリングモードに入って第２端末とサイドリンク通信を行い、そうでない場合、前記第１ネットワーク機器と同一又は異なるネットワーク機器である第２ネットワーク機器との接続を確立し、前記第２ネットワーク機器から送信されたリソース設定情報を受信し、前記第２ネットワーク機器から送信されたリソース設定情報に第２所定情報が含まれている場合、前記分散型リソーススケジューリングモードに入って第２端末とサイドリンク通信を行い、前記第２ネットワーク機器から送信されたリソース設定情報に第３所定情報が含まれている場合、集中型リソーススケジューリングモードに入って第２端末とサイドリンク通信を行う処理モジュールとを含む。
【０１１４】
なお、該装置の実施例は、上記方法に対応する装置であり、上記方法実施例におけるすべての実現方式は、いずれも該端末に実施例に適用し、同じ技術効果を奏することもできる。
【０１１５】
図８に示すように、本開示の実施例は、端末８０を更に提供する。前記端末は、少なくとも新規無線システムＮＲ通信をサポートする第１端末であって、第１ネットワーク機器から送信されたリソース設定情報を受信する機能と、前記第１ネットワーク機器から送信されたリソース設定情報に第１所定情報が含まれている場合、分散型リソーススケジューリングモードに入って第２端末とサイドリンク通信を行い、そうでない場合、前記第１ネットワーク機器と同一又は異なるネットワーク機器である第２ネットワーク機器との接続を確立し、前記第２ネットワーク機器から送信されたリソース設定情報を受信する機能と、前記第２ネットワーク機器から送信されたリソース設定情報に第２所定情報が含まれている場合、前記分散型リソーススケジューリングモードに入って第２端末とサイドリンク通信を行う機能と、前記第２ネットワーク機器から送信されたリソース設定情報に第３所定情報が含まれている場合、集中型リソーススケジューリングモードに入って第２端末とサイドリンク通信を行う機能とを実行するように設定されたプロセッサ８２を含む。
【０１１６】
上記方法実施例におけるすべての実現方式は、いずれも該端末の実施例に適用し、同じ技術効果を奏することもできる。上記端末８０は、バスインタフェース又はインタフェースを介して上記プロセッサ８２又はトランシーバ８１と通信可能に接続されたメモリ８３を更に含んでもよい。上記トランシーバ８１の機能は、プロセッサ８２によって実現可能である。本開示の端末は、ユーザインタフェースなど、上記方法を実現する他の設定要素を更に含んでもよい。
【０１１７】
本開示の実施例は、ネットワーク機器に応用される端末のサイドリンク通信の制御方法を提供し、少なくとも新規無線システムＮＲ通信をサポートする第１端末にリソース設定情報を送信することと、前記第１ネットワーク機器から送信されたリソース設定情報に第１所定情報が含まれている場合、分散型リソーススケジューリングモードに入って第２端末とサイドリンク通信を行うように端末を制御し、そうでない場合、前記第１ネットワーク機器と同一又は異なるネットワーク機器である第２ネットワーク機器との接続を確立するように第１端末を制御し、第２ネットワーク機器から前記第１端末にリソース設定情報を送信することと、前記第２ネットワーク機器から端末に送信されたリソース設定情報に第２所定情報が含まれている場合、前記分散型リソーススケジューリングモードに入って第２端末とサイドリンク通信を行うように端末を制御することと、前記第２ネットワーク機器から端末に送信されたリソース設定情報に第３所定情報が含まれている場合、集中型リソーススケジューリングモードに入って第２端末とサイドリンク通信を行うように端末を制御することとを含む。
【０１１８】
前記リソース設定情報は、新規システム情報ブロックＳＩＢＮｅｗであり、前記ＳＩＢＮｅｗは、システム情報ブロックＳＩＢ２１、システム情報ブロックＳＩＢ２３又はＳＩＢＮを含み、前記ＳＩＢＮは、ＳＩＢ２１、ＳＩＢ２３を除く所定システム情報を含む。
【０１１９】
集中型リソーススケジューリングモードに入って第２端末とサイドリンク通信を行うように端末を制御することは、前記第１端末から送信されたリソーススケジューリング要求を受信することと、集中型リソーススケジューリングモードでのリソース設定情報を前記第１端末に送信することとを含み、それによって、前記第１端末は、前記集中型リソーススケジューリングモードでのリソース設定情報に基づいて、前記第２端末とサイドリンク通信を行う。
【０１２０】
ここで、前記端末のサイドリンク通信の制御方法は、前記第１端末から送信されたリソーススケジューリング要求を受信する前に、前記第１端末と初期化プロセスを行うことを更に含む。
【０１２１】
ここで、集中型リソーススケジューリングモードでのリソース設定情報を前記第１端末に送信することは、集中型リソーススケジューリングモードでのリソース設定情報が運ばれた下り制御情報ＤＣＩ  ＦｏｒｍａｔＮを前記第１端末に送信することを含む。
【０１２２】
ここで、前記ＤＣＩ  ＦｏｒｍａｔＮは、スケジューリング方式指示、送信トラフィックの時間領域リソース粒度指示、送信トラフィックの時間周波数領域リソース位置指示、クロスキャリアスケジューリング指示、周波数ホッピング指示、周波数ホッピングリソース位置指示、変調復調レベル、帯域幅部分ＢＷＰ指示、及び周波数領域リソースサブキャリア間隔のうちの少なくとも１つを含む。
【０１２３】
本開示の一部実施例において、前記ＤＣＩ  ＦｏｒｍａｔＮは、半持続スケジューリング活性化／非活性化指示を含む。
【０１２４】
ここで、前記端末のサイドリンク通信の制御方法は、前記第１端末と初期化プロセスを行う前に、前記集中型リソーススケジューリングモードでのリソース設定情報を前記第２ネットワーク機器が第１ネットワーク機器から取得することを更に含む。
【０１２５】
ここで、前記リソース設定情報は、通信モード指示、サブキャリア間隔指示、送信トラフィックの時間領域リソース粒度指示、送信トラフィックの時間周波数領域リソース位置指示、送受信をサポートするキャリアインデックス、サポート可能なキャリア毎にサポート可能な帯域幅部分ＢＷＰインデックス、帯域幅部分ＢＷＰインデックスに対応するパラメータ、及び時分割多重ＴＤＭ／周波数分割多重ＦＤＭ指示のうちの少なくとも１つを含む。
【０１２６】
上記実施例において、前記第１ネットワーク機器は、ロングタームエボリューション技術ＬＴＥ、ＬＴＥ−Ａ又はｅＬＴＥをサポートする第１基地局、又はＮＲシステムをサポートする第２基地局であり、前記第２ネットワーク機器は、ＮＲシステムをサポートする第２基地局、又はロングタームエボリューション技術ＬＴＥ、ＬＴＥ−Ａ又はｅＬＴＥをサポートする第１基地局である。
【０１２７】
なお、該ネットワーク機器側の方法は、上記端末側の方法に対応する方法であり、上記方法におけるすべてのやり取り方法及び実施例は、いずれも該ネットワーク機器の方法に適用し、同じ技術効果を奏することもできる。
【０１２８】
図９に示すように、本開示の実施例は、ネットワーク機器９０を更に提供する。前記ネットワーク機器９０は、第１ネットワーク機器であって、少なくとも新規無線システムＮＲ通信をサポートする第１端末にリソース設定情報を送信するトランシーバ９１と、前記第１ネットワーク機器から送信されたリソース設定情報に第１所定情報が含まれている場合、分散型リソーススケジューリングモードに入って第２端末とサイドリンク通信を行うように端末を制御し、そうでない場合、前記第１ネットワーク機器と同一又は異なるネットワーク機器である第２ネットワーク機器との接続を確立するように第１端末を制御し、第２ネットワーク機器から前記第１端末にリソース設定情報を送信し、前記第２ネットワーク機器から端末に送信されたリソース設定情報に第２所定情報が含まれている場合、前記分散型リソーススケジューリングモードに入って第２端末とサイドリンク通信を行うように端末を制御し、前記第２ネットワーク機器から端末に送信されたリソース設定情報に第３所定情報が含まれている場合、集中型リソーススケジューリングモードに入って第２端末とサイドリンク通信を行うように端末を制御するプロセッサ９２とを含む。
【０１２９】
なお、該ネットワーク機器９０は、バスインタフェース又はインタフェースを介して上記プロセッサ９２又はトランシーバ９１と通信可能に接続されたメモリ９３を更に含んでもよい。上記トランシーバ９１の機能は、プロセッサ９２によって実現可能である。また、該ネットワーク機器は、上記ネットワーク機器側の方法に対応する機器であり、上記方法におけるすべてのやり取り方法及び実施例は、いずれも該ネットワーク機器に適用し、同じ技術効果を奏することもできる。
【０１３０】
本開示の実施例は、第１ネットワーク機器に応用される端末のサイドリンク通信の制御装置を更に提供し、少なくとも新規無線システムＮＲ通信をサポートする第１端末にリソース設定情報を送信する送受信モジュールと、前記第１ネットワーク機器から送信されたリソース設定情報に第１所定情報が含まれている場合、分散型リソーススケジューリングモードに入って第２端末とサイドリンク通信を行うように端末を制御し、そうでない場合、前記第１ネットワーク機器と同一又は異なるネットワーク機器である第２ネットワーク機器との接続を確立するように第１端末を制御し、第２ネットワーク機器から前記第１端末にリソース設定情報を送信し、前記第２ネットワーク機器から端末に送信されたリソース設定情報に第２所定情報が含まれている場合、前記分散型リソーススケジューリングモードに入って第２端末とサイドリンク通信を行うように端末を制御し、前記第２ネットワーク機器から端末に送信されたリソース設定情報に第３所定情報が含まれている場合、集中型リソーススケジューリングモードに入って第２端末とサイドリンク通信を行うように端末を制御する処理モジュールとを含む。
【０１３１】
なお、該装置は、上記ネットワーク機器側の方法に対応する装置であり、上記方法におけるやり取りされるすべての方法及び実施例は、いずれも該装置に適用し、同じ技術効果を奏することもできる。
【０１３２】
本開示の実施例は、指令を含むコンピュータ記憶媒体を更に提供し、前記指令がコンピュータで実行されると、上記すべての実施例における方法をコンピュータに実行させる。
【０１３３】
本明細書に開示された実施例に記載の各例のユニット及びアルゴリズムのステップが、電子ハードウェア、又はコンピュータソフトウェアと電子ハードウェアの組み合わせによって実現可能であることは、当業者が理解できる。これらの機能がいったいハードウェアによって実行されるか、それともソフトウェアによって実行されるかは、技術手段の特定な応用や設計の制限条件によって決められる。当業者は、各特定な応用に対し、異なる方法によって記載の機能を実現することができるが、これらの実現は、本開示の範囲を超えたものとされるべきではない。
【０１３４】
記載の便利や簡潔化のために、以上記載したシステム、装置及びユニットの具体的な動作プロセスは、前記方法実施例における対応プロセスを参照されたく、ここでは繰り返して記載しない。これは、当業者にとって自明である。
【０１３５】
本開示で提供されるいくつかの実施例において、開示された装置及び方法は、他の方式で実施されることを理解されたい。以上記載した装置実施例は、単に例示的なものである。例えば、記載したユニットの区分は、単に論理機能の区分であり、実際に実現する際に別の区分方式がある。例えば、複数のユニット又はコンポーネントは、組み合わせてもよく、別のシステムに一体化されてもよく、又は、一部の特徴は、無視されてもよく、又は実行されなくてもよい。また、示されており又は議論されている各設定部分の相互間の結合や直接結合や通信接続は、インタフェース、装置又はユニットを介した間接結合や通信接続であってもよく、電気的、機械的、又は他の形式であってもよい。
【０１３６】
以上個別部品として説明したユニットは、物理的に離間したものであってもよく、そうでなくてもよい。ユニットとして示した部品は、物理ユニットであってもよく、そうでなくてもよい。即ち、一箇所に位置してもよく、複数のネットワークユニットに分散して位置してもよい。実際の必要に応じてそのうちの一部又はすべてのユニットを選択して本開示の実施例の目的を実現する。
【０１３７】
また、本開示の各実施例における各機能的ユニットは、１つの処理ユニットに一体化されていてもよいし、物理的に別々に設けられていてもよいし、２つ以上が一体化されてもよい。
【０１３８】
前記機能は、ソフトウェア機能モジュールの形式で実現され独立した製品として販売又は使用される場合、コンピュータ読み取り可能な記憶媒体に格納されてもよい。このような理解に基づき、本開示の技術手段の実質的又は従来技術に貢献した部分、又は当該技術手段の部分は、ソフトウェアプロダクトの形式で現れる。当該コンピュータソフトウェアプロダクトは、記憶媒体に記憶され、本開示の各実施例に記載の方法のすべて又は一部のステップをコンピュータ装置（パーソナルコンピュータ、サーバ、又はネットワーク装置であってもよい）に実行させるいくつかの指令を含む。前記記憶媒体は、Ｕディスク、モバイルハードディスク、ＲＯＭ、ＲＡＭ、磁気ディスク又は光ディスクなど、プログラムコードを格納することができる様々な媒体を含む。
【０１３９】
なお、本開示の装置と方法において、各部品又は各ステップは、分解及び／又は再度の組み合わせが可能である。これらの分解及び／又は再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、又は、互いに独立に実行されてもよい。当業者にとって、本開示の方法及び装置のすべて又は任意のステップや部品は、任意の計算装置（プロセッサ、記憶媒体などを含む）や計算装置のネットワークでハードウェア、ファームウェア、ソフトウェア又はそれらの組み合わせによって実現できることが理解できる。これは、当業者が本開示の説明を閲読して基本的なプログラミング技能を活用して実現できることである。
【０１４０】
従って、本開示の目的は、任意の計算装置で１つ又は一連のプログラムを実行することによっても実現できる。前記計算装置は、周知されている汎用装置である。したがって、本開示の目的は、前記方法又は装置を実現するプログラムコードを含むプログラムプロダクトの提供のみでも実現できる。即ち、このようなプログラムプロダクトも本開示を構成し、しかもこのようなプログラムプロダクトを記憶した記憶媒体も本開示を構成する。明らかに、前記記憶媒体は、任意の周知される記憶媒体又は将来開発される任意の記憶媒体である。なお、本開示の装置と方法において、各部品又は各ステップは、分解及び／又は再度の組み合わせが可能である。これらの分解及び／又は再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、又は、互いに独立に実行されてもよい。
【０１４１】
以上記載されたのは、本開示の選択可能な実施形態である。当業者は、本開示に記載されている原理を逸脱せずに様々な改良や修飾をすることもできる。これらの改良や修飾も、本開示の保護範囲内にある。
【図１】
2021534694.tif 000003
【図２】
2021534694.tif 000004
【図３】
2021534694.tif 000005
【図４】
2021534694.tif 000006
【図５】
2021534694.tif 000007
【図６】
2021534694.tif 000008
【図７】
2021534694.tif 000009
【図８】
2021534694.tif 000010
【図９】
2021534694.tif 000011
【手続補正書】
【提出日】令和3年3月17日(2021.3.17)
【手続補正１】
【補正対象書類名】特許請求の範囲
【補正対象項目名】全文
【補正方法】変更
【補正の内容】
【特許請求の範囲】
【請求項１】
サイドリンク通信方法であって、
第１ネットワーク機器から送信されたリソース設定情報を、少なくとも新規無線システムＮＲ通信をサポートする第１端末が受信することと、
前記第１ネットワーク機器から送信されたリソース設定情報に第１所定情報が含まれている場合、分散型リソーススケジューリングモードに入って第２端末とサイドリンク通信を行い、そうでない場合、第２ネットワーク機器との接続を確立し、前記第２ネットワーク機器から送信されたリソース設定情報を受信することと、
前記第２ネットワーク機器から送信されたリソース設定情報に第２所定情報が含まれている場合、前記分散型リソーススケジューリングモードに入って第２端末とサイドリンク通信を行うことと、
前記第２ネットワーク機器から送信されたリソース設定情報に第３所定情報が含まれている場合、集中型リソーススケジューリングモードに入って第２端末とサイドリンク通信を行うこととを含み、
ここで、前記第２ネットワーク機器は、前記第１ネットワーク機器と同一又は異なるネットワーク機器であるサイドリンク通信方法。
【請求項２】
前記リソース設定情報は、新規システム情報ブロックＳＩＢＮｅｗであり、前記ＳＩＢＮｅｗは、システム情報ブロックＳＩＢ２１、システム情報ブロックＳＩＢ２３又はＳＩＢＮを含み、前記ＳＩＢＮは、ＳＩＢ２１、ＳＩＢ２３を除く所定システム情報を含む、請求項１に記載のサイドリンク通信方法。
【請求項３】
前記分散型リソーススケジューリングモードに入って第２端末とサイドリンク通信を行うことは、
前記第１ネットワーク機器から送信されたリソース設定情報のリソースプール情報からリソース選択を行うことと、
選択されたリソースと前記第１所定情報とに基づいて、前記第２端末とサイドリンク通信を行うこととを含む、請求項１に記載のサイドリンク通信方法。
【請求項４】
前記第２所定情報は、端末選択メッセージを含み、前記第３所定情報は、ユーザスケジューリングメッセージを含む、請求項１に記載のサイドリンク通信方法。
【請求項５】
第２ネットワーク機器との接続を確立し、前記第２ネットワーク機器から送信されたリソース設定情報を受信することは、
前記第２ネットワーク機器との接続を確立し、前記第２ネットワーク機器から送信された無線リソース制御シグナリングＲＲＣメッセージを受信することと、
前記ＲＲＣメッセージに基づいて、前記リソース設定情報を取得することとを含む、請求項４に記載のサイドリンク通信方法。
【請求項６】
集中型リソーススケジューリングモードに入って第２端末とサイドリンク通信を行うことは、
前記第２ネットワーク機器にリソーススケジューリング要求を送信することと、
前記第２ネットワーク機器から送信された集中型リソーススケジューリングモードでのリソース設定情報を受信することと、
前記集中型リソーススケジューリングモードでのリソース設定情報に基づいて、前記第２端末とサイドリンク通信を行うこととを含む、請求項１に記載のサイドリンク通信方法。
【請求項７】
前記第２ネットワーク機器にリソーススケジューリング要求を送信する前に、
前記第２ネットワーク機器と初期化プロセスを行うことを更に含む、請求項６に記載のサイドリンク通信方法。
【請求項８】
前記第２ネットワーク機器から送信された集中型リソーススケジューリングモードでのリソース設定情報を受信することは、
前記第２ネットワーク機器から送信された下り制御情報ＤＣＩ  ＦｏｒｍａｔＮを受信することと、
前記ＤＣＩ  ＦｏｒｍａｔＮに基づいて、集中型リソーススケジューリングモードでのリソース設定情報を取得することとを含む、請求項６に記載のサイドリンク通信方法。
【請求項９】
前記ＤＣＩ  ＦｏｒｍａｔＮは、スケジューリング方式指示、送信トラフィックの時間領域リソース粒度指示、送信トラフィックの時間周波数領域リソース位置指示、クロスキャリアスケジューリング指示、周波数ホッピング指示、周波数ホッピングリソース位置指示、変調復調レベル、帯域幅部分ＢＷＰ指示、及び周波数領域リソースサブキャリア間隔のうちの少なくとも１つを含む、請求項８に記載のサイドリンク通信方法。
【請求項１０】
前記集中型リソーススケジューリングモードでのリソース設定情報に基づいて、前記第２端末とサイドリンク通信を行うことは、
前記集中型リソーススケジューリングモードでのリソース設定情報によって設定されたリソース上で、スケジューリング制御シグナリング及び／又はトラフィック情報を第２端末に送信することを含む、請求項８に記載のサイドリンク通信方法。
【請求項１１】
端末のサイドリンク通信の制御方法であって、
少なくとも新規無線システムＮＲ通信をサポートする第１端末にリソース設定情報を送信することと、
第１ネットワーク機器から送信されたリソース設定情報に第１所定情報が含まれている場合、分散型リソーススケジューリングモードに入って第２端末とサイドリンク通信を行うように端末を制御し、そうでない場合、第２ネットワーク機器との接続を確立するように第１端末を制御し、第２ネットワーク機器から前記第１端末にリソース設定情報を送信することと、
前記第２ネットワーク機器から端末に送信されたリソース設定情報に第２所定情報が含まれている場合、前記分散型リソーススケジューリングモードに入って第２端末とサイドリンク通信を行うように端末を制御することと、
前記第２ネットワーク機器から端末に送信されたリソース設定情報に第３所定情報が含まれている場合、集中型リソーススケジューリングモードに入って第２端末とサイドリンク通信を行うように端末を制御することとを含み、
ここで、前記第２ネットワーク機器は、前記第１ネットワーク機器と同一又は異なるネットワーク機器である端末のサイドリンク通信の制御方法。
【請求項１２】
新規無線システムＮＲ通信をサポートする第１端末であって、
第１ネットワーク機器から送信されたリソース設定情報を受信するトランシーバと、
前記第１ネットワーク機器から送信されたリソース設定情報に第１所定情報が含まれている場合、分散型リソーススケジューリングモードに入って第２端末とサイドリンク通信を行い、そうでない場合、第２ネットワーク機器との接続を確立し、前記第２ネットワーク機器から送信されたリソース設定情報を受信し、
前記第２ネットワーク機器から送信されたリソース設定情報に第２所定情報が含まれている場合、前記分散型リソーススケジューリングモードに入って第２端末とサイドリンク通信を行い、
前記第２ネットワーク機器から送信されたリソース設定情報に第３所定情報が含まれている場合、集中型リソーススケジューリングモードに入って第２端末とサイドリンク通信を行うプロセッサとを含み、
ここで、前記第２ネットワーク機器は、前記第１ネットワーク機器と同一又は異なるネットワーク機器である端末。
【請求項１３】
新規無線システムＮＲ通信をサポートする第１端末に応用される同期信号ブロックの測定値の測定装置であって、
第１ネットワーク機器から送信されたリソース設定情報を受信する送受信モジュールと、
前記第１ネットワーク機器から送信されたリソース設定情報に第１所定情報が含まれている場合、分散型リソーススケジューリングモードに入って第２端末とサイドリンク通信を行い、そうでない場合、第２ネットワーク機器との接続を確立し、前記第２ネットワーク機器から送信されたリソース設定情報を受信し、
前記第２ネットワーク機器から送信されたリソース設定情報に第２所定情報が含まれている場合、前記分散型リソーススケジューリングモードに入って第２端末とサイドリンク通信を行い、
前記第２ネットワーク機器から送信されたリソース設定情報に第３所定情報が含まれている場合、集中型リソーススケジューリングモードに入って第２端末とサイドリンク通信を行う処理モジュールとを含み、
ここで、前記第２ネットワーク機器は、前記第１ネットワーク機器と同一又は異なるネットワーク機器である同期信号ブロックの測定値の測定装置。
【請求項１４】
第１ネットワーク機器であって、
少なくとも新規無線システムＮＲ通信をサポートする第１端末にリソース設定情報を送信するトランシーバと、
前記第１ネットワーク機器から送信されたリソース設定情報に第１所定情報が含まれている場合、分散型リソーススケジューリングモードに入って第２端末とサイドリンク通信を行うように端末を制御し、そうでない場合、第２ネットワーク機器との接続を確立するように第１端末を制御し、第２ネットワーク機器から前記第１端末にリソース設定情報を送信し、
前記第２ネットワーク機器から端末に送信されたリソース設定情報に第２所定情報が含まれている場合、前記分散型リソーススケジューリングモードに入って第２端末とサイドリンク通信を行うように端末を制御し、
前記第２ネットワーク機器から端末に送信されたリソース設定情報に第３所定情報が含まれている場合、集中型リソーススケジューリングモードに入って第２端末とサイドリンク通信を行うように端末を制御するプロセッサとを含み、
ここで、前記第２ネットワーク機器は、前記第１ネットワーク機器と同一又は異なるネットワーク機器であるネットワーク機器。
【請求項１５】
第１ネットワーク機器に応用される端末のサイドリンク通信の制御装置であって、
少なくとも新規無線システムＮＲ通信をサポートする第１端末にリソース設定情報を送信する送受信モジュールと、
前記第１ネットワーク機器から送信されたリソース設定情報に第１所定情報が含まれている場合、分散型リソーススケジューリングモードに入って第２端末とサイドリンク通信を行うように端末を制御し、そうでない場合、第２ネットワーク機器との接続を確立するように第１端末を制御し、第２ネットワーク機器から前記第１端末にリソース設定情報を送信し、
前記第２ネットワーク機器から端末に送信されたリソース設定情報に第２所定情報が含まれている場合、前記分散型リソーススケジューリングモードに入って第２端末とサイドリンク通信を行うように端末を制御し、
前記第２ネットワーク機器から端末に送信されたリソース設定情報に第３所定情報が含まれている場合、集中型リソーススケジューリングモードに入って第２端末とサイドリンク通信を行うように端末を制御する処理モジュールとを含み、
ここで、前記第２ネットワーク機器は、前記第１ネットワーク機器と同一又は異なるネットワーク機器である端末のサイドリンク通信の制御装置。
【手続補正２】
【補正対象書類名】明細書
【補正対象項目名】全文
【補正方法】変更
【補正の内容】
【発明の詳細な説明】
【技術分野】
【０００１】
関連出願の相互参照
本願は、２０１８年８月１０日に中国特許庁に提出された中国特許出願２０１８１０９１２１２９．８の優先権、及び２０１８年８月１３日に中国特許庁に提出された中国特許出願２０１８１０９１８２４７．Ｘの優先権を主張し、その全ての内容が援用によりここに取り込まれる。
本開示は、通信技術分野に係り、特にサイドリンク通信方法、端末及びネットワーク機器に係る。
【背景技術】
【０００２】
３ＧＰＰのＬＴＥ（Ｌｏｎｇ  Ｔｅｒｍ  Ｅｖｏｌｕｔｉｏｎ）  Ｖ２Ｘ（Ｖｅｈｉｃｌｅ−ｔｏ−Ｅｖｅｒｙｔｈｉｎｇ）の通信システムにおいて、基地局と端末との間は、Ｕｕインタフェース（ユーザ端末とネットワークとのエアインタフェース）を介して上り／下りリンク通信が行われ、端末と端末との間は、ＰＣ５インタフェースである近距離通信ポート５（Ｐｒｏｘｉｍｉｔｙ  Ｃｏｍｍｕｎｉｃａｔｉｏｎ  Ｐｏｒｔ５）を介してサイドリンク（Ｓｉｄｅｌｉｎｋ）通信が行われる。関連技術におけるＬＴＥ  Ｖ２Ｘ技術は、以下の２つの動作モードをサポートする。
端末競合モード：このモードでは、システムにおけるユーザ機器又は端末ＵＥ（Ｕｓｅｒ  ｅｑｕｉｐｍｅｎｔ）の送信リソース割り当てと変調符号化スキームＭＣＳ（Ｍｏｄｕｌａｔｉｏｎ  ａｎｄ  Ｃｏｄｉｎｇ  Ｓｃｈｅｍｅ）フォーマットは、端末により完全に自律的（分散的）に決定され、「知覚＋半持続的占有」の方法で分散型スケジューリング機能を実現し、基地局の介在を必要としない。ＬＴＥ  Ｖ２Ｖ規格では、Ｍｏｄｅ２と呼ばれ、ＬＴＥ  Ｖ２Ｘ及び後続の規格では、Ｍｏｄｅ４（分散型リソーススケジューリングモード）と呼ばれる。
基地局スケジューリングモード：このモードでは、ＵＥのＰＣ５インタフェース送信リソースとＭＣＳは、いずれもＬＴＥ基地局によって決定される。ここで、ＬＴＥ基地局のＵｕインタフェースから端末にスケジューリングシグナリングを送信し、端末は、Ｕｕインタフェースを介して基地局に測定情報を報告することもできる。ＬＴＥ  Ｖ２Ｖ規格では、Ｍｏｄｅ１と呼ばれ、ＬＴＥ  Ｖ２Ｘ及び後続の規格では、Ｍｏｄｅ３（集中型リソーススケジューリングモード）と呼ばれる。
【０００３】
基地局スケジューリングモードでは、システム内のリソース割り当ては、基地局によって主導的又は補助的に行われる。カバレッジ内Ｕｕインタフェース通信は、主としてＶ２Ｘの情報をＵｕインタフェースを介して転送する。このプロセスは、関連技術におけるＬＴＥの大部分のメカニズムに従うものである。上りでは、ユニキャスト（Ｕｎｉｃａｓｔ）の方式が採用され、Ｖ２Ｘ端末は、情報を基地局（ｅＮＢ）に送信する。下りでは、基地局ｅＮＢは、ブロードキャスト（ｂｒｏａｄｃａｓｔ）又はマルチキャスト（Ｍｕｌｔｉｃａｓｔ）の方式で他のＶ２Ｘ端末に情報を送信する。Ｖ２Ｘ端末（ＵＥ）とＬＴＥ基地局ネットワークとの結合度に応じて、主に以下の動作方式に分けられる。
ＵＥは、Ｍｏｄｅ３モードで動作する。ＬＴＥ基地局は、Ｕｕインタフェース（２．６ＧＨｚ）を介してパラメータ設定及びスケジューリングシグナリングをＵＥに送信し、専用周波数帯域（５．９ＧＨｚ）でＰＣ５インタフェースを介して通信するＵＥをクロスキャリアで設定してスケジューリングする。これは、カバレッジ内の動的スケジューリングに属する。
ＵＥは、Ｍｏｄｅ４モードで動作する。ＬＴＥ基地局は、Ｕｕインタフェース（２．６ＧＨｚ）を介してリソース設定パラメータをＵＥに送信する。ＵＥは、受信した後に、これらの設定済みリソースを専用周波数帯域（５．９ＧＨｚ）で使用して、ＰＣ５インタフェースを介して他のＵＥと通信する。これは、カバレッジ内の半静的設定に属する。
ＵＥは、セルラーネットワーク支援を全く伴わずにＭｏｄｅ４モードで動作する。全てのＵＥは、事前に設定されたパラメータを採用し、且つ事前に設定されたパラメータは、専用周波数帯域（５．９ＧＨｚ）で動作することを明らかに指定する。これは、カバレッジ外のシナリオに属する。
【０００４】
ＬＴＥ  Ｖ２Ｘスペクトルの割り当て状況に応じて、ＬＴＥ  Ｖ２Ｘは、ＰＣ５インタフェースの専用キャリア（５．９ＧＨｚ）での通信と、セルラ共有キャリア（２．６ＧＨｚ）でのＵｕインタフェース通信とをそれぞれサポートする。Ｅ−ＵＴＲＡＮ（ＬＴＥ）ネットワークカバレッジ内では、Ｖ２Ｘのノードは、受信したシグナリング内の設定情報に基づいて、このノードがＭｏｄｅ３かそれともＭｏｄｅ４の方式で通信しているかを判断する。このようなシグナリングは、システム情報ブロックＳＩＢ２１（ＳｙｓｔｅｍＩｎｆｏｒｍａｔｉｏｎＢｌｏｃｋ２１）及び無線リソース制御ＲＲＣ（Ｒａｄｉｏ  Ｒｅｓｏｕｒｃｅ  Ｃｏｎｔｒｏｌ）再設定メッセージを含む。
【０００５】
しかしながら、ＮＲの開発の初期において、ＮＲ技術に基づく端末機器は、デュアルモジュール設計を含み、即ちＬＴＥ通信モジュールとＮＲ通信モジュールとを同時に含み、端末機器がＬＴＥ  Ｕｕを介してｓｉｄｅｌｉｎｋインタフェースと通信できるとともに、ＮＲ  Ｕｕを介してｓｉｄｅｌｉｎｋと通信できることを可能にする。
【０００６】
ＬＴＥセルラーネットワークカバレッジでは、ＮＲ端末は、デュアルモジュールであり、即ちＬＴＥ通信モジュールとＮＲ通信モジュールを同時に含む。ＬＴＥ基地局（ｅＮＢ）は、Ｕｕインタフェースを介して端末のＮＲモジュールと通信し、リソース割り当てを行い、端末のＮＲ  ｓｉｄｅｌｉｎｋ通信を制御する。関連技術におけるｅＮＢは、関連技術のプロトコルに従ってＳＩＢ２１メッセージ及びＲＲＣ再設定メッセージをアイドル（ＩＤＬＥ）状態のＶ２Ｘ端末に送信して、通信モードが集中型リソーススケジューリングモード（Ｍｏｄｅ３）であるか分散型リソーススケジューリングモード（Ｍｏｄｅ４）であるかをしか判断できない。一方、ＮＲ  Ｖ２Ｘ端末は、更新された技術、設計及び構造標準を採用する。従って、ｅＮＢから送信されたＳＩＢ２１及びＲＲＣ再設定メッセージをＮＲ  Ｖ２Ｘ端末が正常に受信して解読することができるかは、関連技術において直面している問題である。
【発明の概要】
【発明が解決しようとする課題】
【０００７】
本開示の実施例は、ＮＲ  Ｖ２Ｘ端末が他の端末とサイドリンク通信を正常に行うことができることを保証するサイドリンク通信方法、端末及びネットワーク機器を提供する。
【課題を解決するための手段】
【０００８】
上記技術課題を解決するために、本開示の実施例は、サイドリンク通信方法を提供し、第１ネットワーク機器から送信されたリソース設定情報を、少なくとも新規無線システムＮＲ通信をサポートする第１端末が受信することと、前記第１ネットワーク機器から送信されたリソース設定情報に第１所定情報が含まれている場合、分散型リソーススケジューリングモードに入って第２端末とサイドリンク通信を行い、そうでない場合、前記第１ネットワーク機器と同一又は異なるネットワーク機器である第２ネットワーク機器との接続を確立し、前記第２ネットワーク機器から送信されたリソース設定情報を受信することと、前記第２ネットワーク機器から送信されたリソース設定情報に第２所定情報が含まれている場合、前記分散型リソーススケジューリングモードに入って第２端末とサイドリンク通信を行うことと、前記第２ネットワーク機器から送信されたリソース設定情報に第３所定情報が含まれている場合、集中型リソーススケジューリングモードに入って第２端末とサイドリンク通信を行うこととを含む。
【０００９】
ここで、前記リソース設定情報は、新規システム情報ブロックＳＩＢＮｅｗであり、前記ＳＩＢＮｅｗは、システム情報ブロックＳＩＢ２１、システム情報ブロックＳＩＢ２３又はＳＩＢＮを含み、前記ＳＩＢＮは、ＳＩＢ２１、ＳＩＢ２３を除く所定システム情報を含む。
【００１０】
ここで、前記分散型リソーススケジューリングモードに入って第２端末とサイドリンク通信を行うことは、前記第１ネットワーク機器から送信されたリソース設定情報のリソースプール情報からリソース選択を行うことと、選択されたリソースと前記第１所定情報とに基づいて、前記第２端末とサイドリンク通信を行うこととを含む。
【００１１】
ここで、前記第２所定情報は、端末選択メッセージを含み、前記第３所定情報は、ユーザスケジューリングメッセージを含む。
【００１２】
ここで、第２ネットワーク機器との接続を確立し、前記第２ネットワーク機器から送信されたリソース設定情報を受信することは、前記第２ネットワーク機器との接続を確立し、前記第２ネットワーク機器から送信された無線リソース制御シグナリングＲＲＣメッセージを受信することと、前記ＲＲＣメッセージに基づいて、前記リソース設定情報を取得することとを含む。
【００１３】
ここで、集中型リソーススケジューリングモードに入って第２端末とサイドリンク通信を行うことは、前記第２ネットワーク機器にリソーススケジューリング要求を送信することと、前記第２ネットワーク機器から送信された集中型リソーススケジューリングモードでのリソース設定情報を受信することと、前記集中型リソーススケジューリングモードでのリソース設定情報に基づいて、前記第２端末とサイドリンク通信を行うこととを含む。
【００１４】
ここで、前記方法は、前記第２ネットワーク機器にリソーススケジューリング要求を送信する前に、前記第２ネットワーク機器と初期化プロセスを行うことを更に含む。
【００１５】
ここで、前記第２ネットワーク機器から送信された集中型リソーススケジューリングモードでのリソース設定情報を受信することは、前記第２ネットワーク機器から送信された下り制御情報ＤＣＩ  ＦｏｒｍａｔＮを受信することと、前記ＤＣＩ  ＦｏｒｍａｔＮに基づいて、集中型リソーススケジューリングモードでのリソース設定情報を取得することとを含む。
【００１６】
ここで、前記ＤＣＩ  ＦｏｒｍａｔＮは、スケジューリング方式指示、送信トラフィックの時間領域リソース粒度指示、送信トラフィックの時間周波数領域リソース位置指示、クロスキャリアスケジューリング指示、周波数ホッピング指示、周波数ホッピングリソース位置指示、変調復調レベル、帯域幅部分ＢＷＰ指示、及び周波数領域リソースサブキャリア間隔のうちの少なくとも１つを含む。
【００１７】
本開示の一部実施例において、前記ＤＣＩ  ＦｏｒｍａｔＮは、半持続スケジューリング活性化／非活性化指示を含む。
【００１８】
ここで、前記集中型リソーススケジューリングモードでのリソース設定情報に基づいて、前記第２端末とサイドリンク通信を行うことは、前記集中型リソーススケジューリングモードでのリソース設定情報によって設定されたリソース上で、スケジューリング制御シグナリング及び／又はトラフィック情報を第２端末に送信することを含む。
【００１９】
ここで、前記第２ネットワーク機器と初期化プロセスを行う前に、前記集中型リソーススケジューリングモードでのリソース設定情報を前記第２ネットワーク機器が第１ネットワーク機器から取得することを更に含む。
【００２０】
ここで、前記第２端末とサイドリンク通信を行う前に、前記方法は、前記リソース設定情報によって設定されたリソースのリソース分割及び／又は再割り当てを行うことを更に含む。
【００２１】
ここで、前記リソース設定情報は、通信モード指示、サブキャリア間隔指示、送信トラフィックの時間領域リソース粒度指示、送信トラフィックの時間周波数領域リソース位置指示、送受信をサポートするキャリアインデックス、サポート可能なキャリア毎にサポート可能な帯域幅部分ＢＷＰインデックス、帯域幅部分ＢＷＰインデックスに対応するパラメータ、及び時分割多重ＴＤＭ／周波数分割多重ＦＤＭ指示のうちの少なくとも１つを含む。
【００２２】
ここで、前記通信モード指示は、分散型リソーススケジューリングモード又は集中型リソーススケジューリングモードを含む。
【００２３】
ここで、前記帯域幅部分ＢＷＰインデックスに対応するパラメータは、トラフィック送信をサポート可能な時間領域リソース粒度と周波数領域リソースサブキャリア間隔設定及び／又は帯域幅部分インデックスに対応する周波数領域リソース位置を含む。
【００２４】
ここで、前記第１ネットワーク機器は、ロングタームエボリューション技術ＬＴＥ、ＬＴＥ−Ａ又はｅＬＴＥをサポートする第１基地局、又はＮＲシステムをサポートする第２基地局であり、前記第２ネットワーク機器は、ＮＲシステムをサポートする第２基地局、又はロングタームエボリューション技術ＬＴＥ、ＬＴＥ−Ａ又はｅＬＴＥをサポートする第１基地局である。
【００２５】
本開示の実施例は、端末のサイドリンク通信の制御方法を更に提供し、少なくとも新規無線システムＮＲ通信をサポートする第１端末にリソース設定情報を送信することと、前記第１ネットワーク機器から送信されたリソース設定情報に第１所定情報が含まれている場合、分散型リソーススケジューリングモードに入って第２端末とサイドリンク通信を行うように端末を制御し、そうでない場合、前記第１ネットワーク機器と同一又は異なるネットワーク機器である第２ネットワーク機器との接続を確立するように第１端末を制御し、第２ネットワーク機器から前記第１端末にリソース設定情報を送信することと、前記第２ネットワーク機器から端末に送信されたリソース設定情報に第２所定情報が含まれている場合、前記分散型リソーススケジューリングモードに入って第２端末とサイドリンク通信を行うように端末を制御することと、前記第２ネットワーク機器から端末に送信されたリソース設定情報に第３所定情報が含まれている場合、集中型リソーススケジューリングモードに入って第２端末とサイドリンク通信を行うように端末を制御することとを含む。
【００２６】
ここで、前記リソース設定情報は、新規システム情報ブロックＳＩＢＮｅｗであり、前記ＳＩＢＮｅｗは、システム情報ブロックＳＩＢ２１、システム情報ブロックＳＩＢ２３又はＳＩＢＮを含み、前記ＳＩＢＮは、ＳＩＢ２１、ＳＩＢ２３を除く所定システム情報を含む。
【００２７】
ここで、集中型リソーススケジューリングモードに入って第２端末とサイドリンク通信を行うように端末を制御することは、前記第１端末から送信されたリソーススケジューリング要求を受信することと、集中型リソーススケジューリングモードでのリソース設定情報を前記第１端末に送信することとを含み、それによって、前記第１端末は、前記集中型リソーススケジューリングモードでのリソース設定情報に基づいて、前記第２端末とサイドリンク通信を行う。
【００２８】
ここで、前記第１端末から送信されたリソーススケジューリング要求を受信する前に、前記方法は、前記第１端末と初期化プロセスを行うことを更に含む。
【００２９】
ここで、集中型リソーススケジューリングモードでのリソース設定情報を前記第１端末に送信することは、集中型リソーススケジューリングモードでのリソース設定情報が運ばれた下り制御情報ＤＣＩ  ＦｏｒｍａｔＮを前記第１端末に送信することを含む。
【００３０】
ここで、前記ＤＣＩ  ＦｏｒｍａｔＮは、スケジューリング方式指示、送信トラフィックの時間領域リソース粒度指示、送信トラフィックの時間周波数領域リソース位置指示、クロスキャリアスケジューリング指示、周波数ホッピング指示、周波数ホッピングリソース位置指示、変調復調レベル、帯域幅部分ＢＷＰ指示、及び周波数領域リソースサブキャリア間隔のうちの少なくとも１つを含む。
【００３１】
本開示の一部実施例において、前記ＤＣＩ  ＦｏｒｍａｔＮは、半持続スケジューリング活性化／非活性化指示を含む。
【００３２】
ここで、前記方法は、前記第１端末と初期化プロセスを行う前に、前記集中型リソーススケジューリングモードでのリソース設定情報を前記第２ネットワーク機器が第１ネットワーク機器から取得することを更に含む。
【００３３】
ここで、前記リソース設定情報は、通信モード指示、サブキャリア間隔指示、送信トラフィックの時間領域リソース粒度指示、送信トラフィックの時間周波数領域リソース位置指示、送受信をサポートするキャリアインデックス、サポート可能なキャリア毎にサポート可能な帯域幅部分ＢＷＰインデックス、帯域幅部分ＢＷＰインデックスに対応するパラメータ、及び時分割多重ＴＤＭ／周波数分割多重ＦＤＭ指示のうちの少なくとも１つを含む。
【００３４】
本開示の実施例は、端末を更に提供する。前記端末は、新規無線システムＮＲ通信をサポートする第１端末であって、第１ネットワーク機器から送信されたリソース設定情報を受信するトランシーバと、前記第１ネットワーク機器から送信されたリソース設定情報に第１所定情報が含まれている場合、分散型リソーススケジューリングモードに入って第２端末とサイドリンク通信を行い、そうでない場合、前記第１ネットワーク機器と同一又は異なるネットワーク機器である第２ネットワーク機器との接続を確立し、前記第２ネットワーク機器から送信されたリソース設定情報を受信し、前記第２ネットワーク機器から送信されたリソース設定情報に第２所定情報が含まれている場合、前記分散型リソーススケジューリングモードに入って第２端末とサイドリンク通信を行い、前記第２ネットワーク機器から送信されたリソース設定情報に第３所定情報が含まれている場合、集中型リソーススケジューリングモードに入って第２端末とサイドリンク通信を行うプロセッサとを含む。
【００３５】
本開示の実施例は、新規無線システムＮＲ通信をサポートする第１端末に応用される同期信号ブロックの測定値の測定装置を更に提供し、第１ネットワーク機器から送信されたリソース設定情報を受信する送受信モジュールと、前記第１ネットワーク機器から送信されたリソース設定情報に第１所定情報が含まれている場合、分散型リソーススケジューリングモードに入って第２端末とサイドリンク通信を行い、そうでない場合、前記第１ネットワーク機器と同一又は異なるネットワーク機器である第２ネットワーク機器との接続を確立し、前記第２ネットワーク機器から送信されたリソース設定情報を受信し、前記第２ネットワーク機器から送信されたリソース設定情報に第２所定情報が含まれている場合、前記分散型リソーススケジューリングモードに入って第２端末とサイドリンク通信を行い、前記第２ネットワーク機器から送信されたリソース設定情報に第３所定情報が含まれている場合、集中型リソーススケジューリングモードに入って第２端末とサイドリンク通信を行う処理モジュールとを含む。
【００３６】
本開示の実施例は、ネットワーク機器を更に提供する。前記ネットワーク機器は、第１ネットワーク機器であって、少なくとも新規無線システムＮＲ通信をサポートする第１端末にリソース設定情報を送信するトランシーバと、前記第１ネットワーク機器から送信されたリソース設定情報に第１所定情報が含まれている場合、分散型リソーススケジューリングモードに入って第２端末とサイドリンク通信を行うように端末を制御し、そうでない場合、前記第１ネットワーク機器と同一又は異なるネットワーク機器である第２ネットワーク機器との接続を確立するように第１端末を制御し、第２ネットワーク機器から前記第１端末にリソース設定情報を送信し、前記第２ネットワーク機器から端末に送信されたリソース設定情報に第２所定情報が含まれている場合、前記分散型リソーススケジューリングモードに入って第２端末とサイドリンク通信を行うように端末を制御し、前記第２ネットワーク機器から端末に送信されたリソース設定情報に第３所定情報が含まれている場合、集中型リソーススケジューリングモードに入って第２端末とサイドリンク通信を行うように端末を制御するプロセッサとを含む。
【００３７】
本開示の実施例は、第１ネットワーク機器に応用される端末のサイドリンク通信の制御装置を更に提供し、少なくとも新規無線システムＮＲ通信をサポートする第１端末にリソース設定情報を送信する送受信モジュールと、前記第１ネットワーク機器から送信されたリソース設定情報に第１所定情報が含まれている場合、分散型リソーススケジューリングモードに入って第２端末とサイドリンク通信を行うように端末を制御し、そうでない場合、前記第１ネットワーク機器と同一又は異なるネットワーク機器である第２ネットワーク機器との接続を確立するように第１端末を制御し、第２ネットワーク機器から前記第１端末にリソース設定情報を送信し、前記第２ネットワーク機器から端末に送信されたリソース設定情報に第２所定情報が含まれている場合、前記分散型リソーススケジューリングモードに入って第２端末とサイドリンク通信を行うように端末を制御し、前記第２ネットワーク機器から端末に送信されたリソース設定情報に第３所定情報が含まれている場合、集中型リソーススケジューリングモードに入って第２端末とサイドリンク通信を行うように端末を制御する処理モジュールとを含む。
【００３８】
本開示の実施例は、端末を更に提供する。前記端末は、少なくとも新規無線システムＮＲ通信をサポートする第１端末であって、第１ネットワーク機器から送信されたリソース設定情報を受信する機能と、前記第１ネットワーク機器から送信されたリソース設定情報に第１所定情報が含まれている場合、分散型リソーススケジューリングモードに入って第２端末とサイドリンク通信を行い、そうでない場合、前記第１ネットワーク機器と同一又は異なるネットワーク機器である第２ネットワーク機器との接続を確立し、前記第２ネットワーク機器から送信されたリソース設定情報を受信する機能と、前記第２ネットワーク機器から送信されたリソース設定情報に第２所定情報が含まれている場合、前記分散型リソーススケジューリングモードに入って第２端末とサイドリンク通信を行う機能と、前記第２ネットワーク機器から送信されたリソース設定情報に第３所定情報が含まれている場合、集中型リソーススケジューリングモードに入って第２端末とサイドリンク通信を行う機能とを実行するように設定されたプロセッサを含む。
【００３９】
本開示の実施例は、ネットワーク機器を更に提供する。前記ネットワーク機器は、第１ネットワーク機器であって、少なくとも新規無線システムＮＲ通信をサポートする第１端末にリソース設定情報を送信する機能と、前記第１ネットワーク機器から送信されたリソース設定情報に第１所定情報が含まれている場合、分散型リソーススケジューリングモードに入って第２端末とサイドリンク通信を行うように端末を制御し、そうでない場合、前記第１ネットワーク機器と同一又は異なるネットワーク機器である第２ネットワーク機器との接続を確立するように第１端末を制御し、第２ネットワーク機器から前記第１端末にリソース設定情報を送信する機能と、前記第２ネットワーク機器から端末に送信されたリソース設定情報に第２所定情報が含まれている場合、前記分散型リソーススケジューリングモードに入って第２端末とサイドリンク通信を行うように端末を制御する機能と、前記第２ネットワーク機器から端末に送信されたリソース設定情報に第３所定情報が含まれている場合、集中型リソーススケジューリングモードに入って第２端末とサイドリンク通信を行うように端末を制御する機能とを実行するように設定されたプロセッサを含む。
【００４０】
本開示の実施例は、指令を含むコンピュータ記憶媒体を更に提供し、前記指令がコンピュータで実行されると、上記の方法をコンピュータに実行させる。
【発明の効果】
【００４１】
本開示の上記実施例において、第１ネットワーク機器から送信されたリソース設定情報を、少なくとも新規無線システムＮＲ通信をサポートする第１端末が受信し、前記第１ネットワーク機器から送信されたリソース設定情報に第１所定情報が含まれている場合、分散型リソーススケジューリングモードに入って第２端末とサイドリンク通信を行い、そうでない場合、前記第１ネットワーク機器と同一又は異なるネットワーク機器である第２ネットワーク機器との接続を確立し、前記第２ネットワーク機器から送信されたリソース設定情報を受信し、前記第２ネットワーク機器から送信されたリソース設定情報に第２所定情報が含まれている場合、前記分散型リソーススケジューリングモードに入って第２端末とサイドリンク通信を行い、前記第２ネットワーク機器から送信されたリソース設定情報に第３所定情報が含まれている場合、集中型リソーススケジューリングモードに入って第２端末とサイドリンク通信を行う。それによって、ＮＲ  Ｖ２Ｘ端末が、ＮＲ端末のサイドリンク（ＮＲ  ｓｉｄｅｌｉｎｋ）通信を他の端末と正常に行うことができることを保証する。ＮＲ  Ｖ２Ｘ端末の通信範囲を拡大し、リソース（プール）の利用効率を高め、システムの性能と安定性を向上させる。
【図面の簡単な説明】
【００４２】
【図１】本開示に係るサイドリンク通信方法のフローチャートを示す。
【図２】本開示に係るセルラーネットワークカバレッジ内のＶ２Ｘノード通信モードの決定プロセス（共有又は専用キャリア）を示す。
【図３】本開示の実施例１に係るＵＥがＭｏｄｅ３（集中型リソーススケジューリングモード）に入って基地局のスケジューリングに応じてＰＣ５インタフェース通信を行うフローチャートを示す。
【図４】本開示の実施例２に係るＵＥがＭｏｄｅ３（集中型リソーススケジューリングモード）に入って基地局のスケジューリングに応じてＰＣ５インタフェース通信を行うフローチャートを示す。
【図５】本開示の実施例４に係るＵＥがＭｏｄｅ３（集中型リソーススケジューリングモード）に入って基地局のスケジューリングに応じてＰＣ５インタフェース通信を行うフローチャートを示す。
【図６】本開示の実施例６に係るＵＥがＭｏｄｅ３（集中型リソーススケジューリングモード）に入って基地局のスケジューリングに応じてＰＣ５インタフェース通信を行うフローチャートを示す。
【図７】本開示の実施例８に係るＵＥがＭｏｄｅ３（集中型リソーススケジューリングモード）に入って基地局のスケジューリングに応じてＰＣ５インタフェース通信を行うフローチャートを示す。
【図８】本開示に係る端末のアーキテクチャを示す。
【図９】本開示に係るネットワーク機器のアーキテクチャを示す。
【発明を実施するための形態】
【００４３】
以下、添付図面を参照して本開示の例示的な実施例を更に詳細に記載する。本開示の例示的な実施例を図面に示しているが、本開示は、ここで説明した実施例に限定されることなく様々な形態で実現できることが理解されるべきである。これらの実施例を示すことは、本開示をより徹底的に理解してもらい、本開示の範囲を当業者に全面的に伝えるためである。
【００４４】
本開示は、ＮＲ  Ｖ２Ｘ端末のサイドリンク伝送を、ＬＴＥ  Ｕｕインタフェース通信に基づくネットワーク機器（例えば、基地局）とＮＲ  Ｕｕインタフェース通信に基づくネットワーク機器（例えば、基地局）とが、別々に、又は、協調して設定し、スケジューリングする方法を提供する。ＮＲ  Ｖ２Ｘ端末（ＵＥ）は、デュアルモジュール（ＬＴＥモジュールとＮＲモジュールとを含む）であってもよいし、ＮＲモジュールのみを含むシングルモジュールであってもよい。
【００４５】
本開示の実施例において、ＮＲ  Ｖ２Ｘ端末は、ＬＴＥ基地局によって設定してスケジューリングされてもよいし、ＮＲ基地局とともに設定してスケジューリングされてもよいし、ＬＴＥ基地局とＮＲ基地局の両方によって協調して設定してスケジューリングされてもよい。
【００４６】
このとき、ＵＥは、Ｕｕインタフェースを介してＮＲ基地局からの制御シグナリングのみを監視することを選択してもよいし、ＬＴＥ基地局とＮＲ基地局の制御シグナリングを同時に監視することを選択してもよい。
【００４７】
上記のいずれかであることを確認した後、基地局は、Ｕｕインタフェースを介してＮＲ端末と通信し、ＳＩＢメッセージとＲＲＣ再設定メッセージ又は他システムメッセージを送信し、ＵＥの動作モードを決定する。ここでのＳＩＢｎは、ＬＴＥ技術におけるＳＩＢ２１であってもよいし、新規のＳＩＢメッセージであってもよい。ＲＲＣ再設定メッセージは、ＬＴＥ技術におけるＲＲＣメッセージであってもよいし、新しい任意の他の再設定メッセージであってもよい。
【００４８】
基地局がＵＥに送信する設定、スケジューリング情報内容、即ち、上記ＳＩＢメッセージ及びＲＲＣ再設定メッセージ又は他のシステムメッセージは、通信モード指示、サブキャリア間隔指示、送信トラフィックの時間領域リソース粒度指示、送信トラフィックの時間周波数領域リソース位置指示、送受信をサポートするキャリアインデックス、サポート可能なキャリア毎にサポート可能な帯域幅部分ＢＷＰインデックス、帯域幅部分ＢＷＰインデックスに対応するパラメータ、及び時分割多重ＴＤＭ／周波数分割多重ＦＤＭ指示のうちの少なくとも１つの情報を含む。ここで、帯域幅部分ＢＷＰインデックスに対応するパラメータは、トラフィック送信をサポート可能な時間領域リソース粒度と周波数領域リソースサブキャリア間隔設定及び／又は帯域幅部分インデックスに対応する周波数領域リソース位置を含む。
【００４９】
任意選択で、ＵＥが動作モードを決定した後、ＬＴＥ基地局は、ＵＥのＰＣ５インタフェースを介するサイドリンクでの通信を設定してスケジューリングするために、Ｕｕインタフェースを介して下り制御情報ＤＣＩ  ｆｏｒｍａｔＮを送信する。ＤＣＩ  ｆｏｒｍａｔＮの設計は、ＤＣＩ  ｆｏｒｍａｔ５Ａ、ＤＣＩ  ｆｏｒｍａｔ０＿０／０＿１／１＿０／１＿１の全部又は一部の内容を参照又は借用するほか、スケジューリング方式指示、送信トラフィックの時間領域リソース粒度指示、送信トラフィックの時間周波数領域リソース位置指示、クロスキャリアスケジューリング指示、周波数ホッピング指示、周波数ホッピングリソース位置指示、変調復調レベル、帯域幅部分ＢＷＰ指示、及び周波数領域リソースサブキャリア間隔のうちの少なくとも１つの指示フィールドを含む。ＮＲ基地局がＬＴＥ基地局との接続を確立すると、ＬＴＥネットワークは、Ｘ２インタフェースを使用してＮＲネットワークのＸｎインタフェースと通信する。ＮＲ基地局は、ＮＲ  ｓｉｄｅｌｉｎｋの関連設定情報（リソースプール設定、スケジューリングシグナリングなどを含むが、これらに限定されない）をＬＴＥ基地局に送信する。ＬＴＥ基地局は、これらの設定情報をＳＩＢｎ及びＲＲＣ再設定メッセージの形態でＵｕインタフェースを介してＮＲ端末に送信して、ＮＲ  ｓｉｄｅｌｉｎｋ通信を設定してスケジューリングする。
【００５０】
図１に示すように、本開示の実施例は、サイドリンク通信方法を提供し、以下のステップを含む。
ステップ１１において、少なくとも新規無線システムＮＲ通信をサポートする第１端末は、第１ネットワーク機器から送信されたリソース設定情報を受信する。
ステップ１２において、前記第１ネットワーク機器から送信されたリソース設定情報に第１所定情報が含まれている場合、ステップ１３に進む。
ステップ１３において、前記第１端末は、分散型リソーススケジューリングモードに入って第２端末とサイドリンク通信を行い、そうでない場合、ステップ１４に進む。
ステップ１４において、前記第１端末は、第２ネットワーク機器との接続を確立し、前記第２ネットワーク機器から送信されたリソース設定情報を受信する。
ステップ１５において、前記第２ネットワーク機器から送信されたリソース設定情報に第２所定情報が含まれている場合、ステップ１３に進む。即ち、前記第１端末は、前記分散型リソーススケジューリングモードに入って第２端末とサイドリンク通信を行う。
ステップ１６において、前記第２ネットワーク機器から送信されたリソース設定情報に第３所定情報が含まれている場合、集中型リソーススケジューリングモードに入って第２端末とサイドリンク通信を行う。
【００５１】
前記第２ネットワーク機器は、前記第１ネットワーク機器と同一又は異なる。ここの第１端末は、ＮＲ  Ｖ２Ｘ端末（ＵＥ）であり、具体的にはデュアルモジュール（ＬＴＥモジュール及びＮＲモジュール）であってよく、ＮＲモジュールのみを含むシングルモジュールであってもよい。
【００５２】
ここでのリソース設定情報は、新規システム情報ブロックＳＩＢＮｅｗであり、前記ＳＩＢＮｅｗは、システム情報ブロックＳＩＢ２１、システム情報ブロックＳＩＢ２３又はＳＩＢＮを含み、前記ＳＩＢＮは、ＳＩＢ２１、ＳＩＢ２３を除く所定システム情報を含む。
【００５３】
前記リソース設定情報は、通信モード指示、サブキャリア間隔指示、送信トラフィックの時間領域リソース粒度指示、送信トラフィックの時間周波数領域リソース位置指示、送受信をサポートするキャリアインデックス、サポート可能なキャリア毎にサポート可能な帯域幅部分ＢＷＰインデックス、帯域幅部分ＢＷＰインデックス毎に対応するパラメータ、及び時分割多重ＴＤＭ（Ｔｉｍｅ−Ｄｉｖｉｓｉｏｎ  Ｍｕｌｔｉｐｌｅｘｉｎｇ）／周波数分割多重ＦＤＭ（Ｆｒｅｑｕｅｎｃｙ  Ｄｉｖｉｓｉｏｎ  Ｍｕｌｔｉｐｌｅｘｉｎｇ）指示のうちの少なくとも１つを含む。前記帯域幅部分ＢＷＰインデックス毎に対応するパラメータは、トラフィック送信をサポート可能な時間領域リソース粒度と周波数領域リソースサブキャリア間隔設定及び／又は帯域幅部分インデックスに対応する周波数領域リソース位置を含む。
【００５４】
ここでのリソース設定情報は、ＳＩＢメッセージ及びＲＲＣ再設定メッセージ又は他のシステムメッセージによって設定される。
【００５５】
前記第１所定情報は、通信モード指示を含む。通信モード指示は、分散型リソーススケジューリングモード又は集中型リソーススケジューリングモードを含む。
【００５６】
前記第２所定メッセージは、Ｚ１を含む。Ｚ１は、他の任意の名称で置き換えることができる。前記第３所定メッセージは、Ｚ２を含む。Ｚ２は、他の任意の名称で置き換えることができる。ここで、第２ネットワーク機器から送信されたリソース設定情報は、セルラーネットワークカバレッジ内のＶ２Ｘノード通信モードの決定プロセス（共有キャリア又は専用キャリア）におけるＳＬ−Ｖ２Ｘ−ＣｏｎｆｉｇＤｅｄｉｃａｔｅｄ−ｒ１４メッセージであり、Ｚ１は、ｕｅ−Ｓｅｌｅｃｔｅｄ−ｒ１４メッセージ（即ち、端末選択メッセージ）であり、Ｚ２は、ｓｃｈｅｄｕｌｅｄ−ｒ１４メッセージ（即ち、スケジューリングメッセージ）である。
【００５７】
本開示の１つの具体的な実施例において、ステップ１３は、前記第１ネットワーク機器から送信されたリソース設定情報のリソースプール情報からリソース選択を行うステップ１３１と、選択されたリソースと前記第１所定情報とに基づいて、前記第２端末とサイドリンク通信を行うステップ１３２とを含む。
【００５８】
このステップにおいて、第１端末は、第１ネットワーク機器から送信されたリソース設定情報に基づいて、分散型リソーススケジューリングモード（即ち、Ｍｏｄｅ４）に入って第２端末とサイドリンク通信を行う。
【００５９】
本開示の１つの具体的な実施例において、ステップ１４は、前記第２ネットワーク機器との接続を確立し、前記第２ネットワーク機器から送信された無線リソース制御シグナリングＲＲＣメッセージを受信するステップ１４１と、前記ＲＲＣメッセージに基づいて、前記第２ネットワーク機器のリソース設定情報を取得するステップ１４２とを含む。
【００６０】
第２ネットワーク機器のリソース設定情報を取得した後、前記第２ネットワーク機器から送信されたリソース設定情報に第２所定情報が含まれている場合、分散型リソーススケジューリングモード（即ち、Ｍｏｄｅ４）に入って第２端末とサイドリンク通信を行い、そうでない場合、ステップ１６に進む。このステップ１６は、具体的には、ステップ１６１、ステップ１６２及びステップ１６３を含む。
【００６１】
ステップ１６１において、前記第１端末は、Ｕｕインタフェースを介して前記第２ネットワーク機器にリソーススケジューリング要求を送信する。
【００６２】
ステップ１６２において、前記第２ネットワーク機器から送信された集中型リソーススケジューリングモードでのリソース設定情報を受信する。具体的には、前記第２ネットワーク機器から送信された下り制御情報ＤＣＩ  ＦｏｒｍａｔＮ（即ち、スケジューリング割り当てシグナリング及びトラフィックデータの認可スケジューリングＳｃｈｅｄｕｌｉｎｇ  ｇｒａｎｔ  ｆｏｒ  ＳＡ（Ｓｃｈｅｄｕｌｉｎｇ  Ａｓｓｉｇｎｍｅｎｔ）  ａｎｄ  ｄａｔａ）を受信し、前記ＤＣＩ  ＦｏｒｍａｔＮに基づいて、集中型リソーススケジューリングモードでのリソース設定情報を取得する。
【００６３】
ここのＤＣＩ  ＦｏｒｍａｔＮは、スケジューリング方式指示、送信トラフィックの時間領域リソース粒度指示、送信トラフィックの時間周波数領域リソース位置指示、クロスキャリアスケジューリング指示、周波数ホッピング指示、周波数ホッピングリソース位置指示、変調復調レベル、帯域幅部分ＢＷＰ指示、及び周波数領域リソースサブキャリア間隔のうちの少なくとも１つを含む。
【００６４】
本開示の一部実施例において、前記ＤＣＩ  ＦｏｒｍａｔＮは、半持続スケジューリング活性化／非活性化指示（ｓｅｍｉ−ｐｅｒｓｉｓｔｅｎｔ  ｓｃｈｅｄｕｌｉｎｇ  ａｃｔｉｖａｔｉｏｎ／ｄｅａｃｔｉｖａｔｉｏｎ  ｉｎｄｉｃａｔｏｒ）を含む。
【００６５】
本開示の一部実施例において、ＳＡは、ｓｉｄｅｌｉｎｋの制御情報ＳＣＩ（Ｓｉｄｅｌｉｎｋ  Ｃｏｎｔｒｏｌ  Ｉｎｆｏｒｍａｔｉｏｎ）を含む。
【００６６】
ステップ１６３において、前記集中型リソーススケジューリングモードでのリソース設定情報に基づいて、前記第２端末とサイドリンク通信を行う。具体的には、リソース設定情報によって設定されたリソース上で、スケジューリング割り当てシグナリングＳＡ（ＳＡ（Ｓｃｈｅｄｕｌｉｎｇ  Ａｓｓｉｇｎｍｅｎｔ）  ｏｎ  ｇｒａｎｔｅｄ  ｒｅｓｏｕｒｃｅ  ）及び／又はトラフィック信号（Ｄａｔａ  ｏｎ  ｇｒａｎｔｅｄ  ｒｅｓｏｕｒｃｅ）を第２端末に送信する。
【００６７】
更に、この実施例において、第１端末が前記第２ネットワーク機器へリソーススケジューリング要求を送信するステップ１６１の前に、前記第１端末がＵｕインタフェースを介して前記第２ネットワーク機器と初期化プロセスを行うステップ１６０を更に含む。ここで、初期化プロセス（Ｉｎｉｔｉａｌｉｚａｔｉｏｎ）は、第１端末と第２ネットワーク機器との間の関連情報の設定等を含む。１つの選択可能な実施例において、前記第１端末がＵｕインタフェースを介して前記第２ネットワーク機器と初期化プロセスを行う前に、前記第２ネットワーク機器から第１端末に送信されたリソース設定情報を、第２ネットワーク機器が前記第３ネットワーク機器から取得することを更に含む。ここの第３ネットワーク機器は、前記第１ネットワーク機器又は第２ネットワーク機器とは同じであってもよいし異なっていってもよい。
【００６８】
ここで、第２ネットワーク機器と第３ネットワーク機器との間は、Ｘ２又はＸｎインタフェースを介して通信する。
【００６９】
本開示の別の実施例において、ステップ１３で前記第２端末とサイドリンク通信を行う前に、第１ネットワーク機器から送信されたリソース設定情報によって設定されたリソースのリソース分割及び／又は再割り当てを行うことを更に含む。それによって、より細かい粒度のリソース分割を実現し、ＮＲ端末の細かい粒度のリソースに対する要求が満たされる。
【００７０】
本開示の別の実施例において、ステップ１６で前記第２端末とサイドリンク通信を行う前に、第２ネットワーク機器から送信されたリソース設定情報によって設定されたリソースのリソース分割及び／又は再割り当てを行うことを更に含む。それによって、より細かい粒度のリソース分割を実現し、ＮＲ端末の細かい粒度のリソースに対する要求が満たされる。
【００７１】
本開示の上記すべての実施例において、前記第１ネットワーク機器は、ロングタームエボリューション技術ＬＴＥ、ＬＴＥ−Ａ又はｅＬＴＥをサポートする第１基地局又はＮＲシステムをサポートする第２基地局であり、前記第２ネットワーク機器は、ＮＲシステムをサポートする第２基地局又はロングタームエボリューション技術ＬＴＥ、ＬＴＥ−Ａ又はｅＬＴＥをサポートする第１基地局である。
【００７２】
以下、具体的な実施例を参照しながら、上記方法の具体的な実施過程を説明する。
【００７３】
例１：図２に示すように、第１端末（例えば、アイドル（ＩＤＬＥ）状態のＵＥ１）がＳＩＢ２１（ＳｙｓｔｅｍＩｎｆｏｒｍａｔｉｏｎＢｌｏｃｋ２１）（例えばＬＴＥ基地局である第１ネットワーク機器からのリソース設定情報）を受信すると、ＵＥ１は、ＳＩＢ２１内のＸ（例えば、ＳＬ−Ｖ２Ｘ−ＣｏｎｆｉｇＣｏｍｍｏｎ−ｒ１４）に送信リソースプールの情報Ｙ（例えば、Ｖ２Ｘ−ＣｏｍｍＴｘＰｏｏｌＮｏｒｍａｌＣｏｍｍｏｎ−ｒ１４）が含まれているか否かをチェックする。ＩＤＬＥ状態のＵＥ１が受信したＳＩＢ２１に送信リソースプールの情報Ｙが含まれている場合、ＩＤＬＥ状態のＵＥ１は、分散型リソーススケジューリングモード（Ｍｏｄｅ４）に入り、該リソースプールの情報Ｙを直接利用してリソース選択プロセスを行い、選択されたリソースを用いて第２端末とサイドリンク通信を行う。
【００７４】
ＩＤＬＥ状態のＵＥ１がＳＩＢ２１を受信した場合、ＳＩＢ２１内のＸに送信リソースプールの情報Ｙが含まれていないことをＵＥ１がチェックして確認すると、ＩＤＬＥ状態のＵＥ１は、接続状態に入るＲＲＣ接続プロセスを開始する（ここで、第１ネットワーク機器と同じ又は異なる第２ネットワーク機器との接続を確立する）。ＵＥ１が第２ネットワーク機器から受信したリソース設定情報（例えばＲＲＣ再設定メッセージ）の中のＺ（例えば、ＳＬ−Ｖ２Ｘ−ＣｏｎｆｉｇＤｅｄｉｃａｔｅｄ−ｒ１４）にＺ１（例えばｕｅ−Ｓｅｌｅｃｔｅｄ−ｒ１４）が含まれていると、ＵＥ１は、分散型リソーススケジューリングモード（Ｍｏｄｅ４）に入り、設定されたリソースプール情報を用いてリソース選択プロセスを行う。
【００７５】
ＩＤＬＥ状態のＵＥ１がＳＩＢ２１を受信した場合、ＳＩＢ２１内のＸに送信リソースプールの情報Ｙが含まれていないことをＵＥ１がチェックして確認すると、ＩＤＬＥ状態のＵＥ１は、接続状態に入るＲＲＣ接続プロセスを開始する（ここで、第１ネットワーク機器と同じ又は異なる第２ネットワーク機器との接続を確立する）。ＵＥ１が第２ネットワーク機器から受信したリソース設定情報（例えばＲＲＣ再設定メッセージ）の中のＺ（例えばＳＬ−Ｖ２Ｘ−ＣｏｎｆｉｇＤｅｄｉｃａｔｅｄ−ｒ１４）にＺ２（例えばｓｃｈｅｄｕｌｅｄ−ｒ１４）が含まれていると、ＵＥ１は、Ｍｏｄｅ３（集中型リソーススケジューリングモード）に入り、基地局のスケジューリングに応じてＰＣ５インタフェース通信を行う。
【００７６】
具体的には、図３に示すように、ＵＥ１（トランスミッター（ｔｒａｎｓｍｉｔｔｅｒ））が集中型リソーススケジューリングモード（Ｍｏｄｅ３）に入り、基地局のスケジューリングに応じて、ＰＣ５インタフェース通信を行うことは、以下を含む。
ＵＥ１は、トラフィック関連情報（パケットサイズ、トラフィック周期など）、位置情報などを含む、ＵＥ１のリソーススケジューリング要求及び支援情報を、Ｕｕインタフェースを介してＬＴＥ基地局（第２ネットワーク機器）に報告する。
ＬＴＥ基地局は、ＮＲ  ｓｉｄｅｌｉｎｋ  Ｍｏｄｅ３リソース占有状況を設定する。
ＬＴＥ基地局は、ＤＣＩ  ｆｏｒｍａｔ  ＮスケジューリングシグナリングをＵＥ１に送信する。
該ＵＥ１は、ＤＣＩ  ｆｏｒｍａｔ  Ｎで指示される情報に基づいて、第２端末ＵＥ２（レシーバ（ｒｅｃｅｉｖｅｒ））とＮＲ  ｓｉｄｅｌｉｎｋ通信を行う。
【００７７】
例２：
図２に示すように、第１端末（例えば、ＩＤＬＥ状態のＵＥ１）がＳＩＢ２１（ＳｙｓｔｅｍＩｎｆｏｒｍａｔｉｏｎＢｌｏｃｋ２１）（例えばＬＴＥ基地局である第１ネットワーク機器からのリソース設定情報）を受信すると、ＵＥ１は、ＳＩＢ２１内のＸ（例えば、ＳＬ−Ｖ２Ｘ−ＣｏｎｆｉｇＣｏｍｍｏｎ−ｒ１４）に送信リソースプールの情報Ｙ（例えば、Ｖ２Ｘ−ＣｏｍｍＴｘＰｏｏｌＮｏｒｍａｌＣｏｍｍｏｎ−ｒ１４）が含まれているか否かをチェックする。ＩＤＬＥ状態のＵＥ１が受信したＳＩＢ２１に送信リソースプールの情報Ｙが含まれている場合、ＩＤＬＥ状態のＵＥ１は、分散型リソーススケジューリングモード（Ｍｏｄｅ４）に入り、該リソースプールの情報Ｙを利用して、更にリソース分割、再割り当てなどの動作を行い、それからリソース選択プロセスに入り、選択されたリソースを用いて第２端末とサイドリンク通信を行う。
【００７８】
ＩＤＬＥ状態のＵＥ１がＳＩＢ２１を受信した場合、ＳＩＢ２１内のＸに送信リソースプールの情報Ｙが含まれていないことをＵＥ１がチェックして確認すると、ＩＤＬＥ状態のＵＥ１は、接続状態に入るＲＲＣ接続プロセスを開始する（ここで、第１ネットワーク機器と同じ又は異なる第２ネットワーク機器との接続を確立する）。ＵＥ１が第２ネットワーク機器から受信したリソース設定情報（例えばＲＲＣ再設定メッセージ）の中のＺ（例えば、ＳＬ−Ｖ２Ｘ−ＣｏｎｆｉｇＤｅｄｉｃａｔｅｄ−ｒ１４）にＺ１（例えばｕｅ−Ｓｅｌｅｃｔｅｄ−ｒ１４）が含まれていると、ＵＥ１は、分散型リソーススケジューリングモード（Ｍｏｄｅ４）に入り、該ＲＲＣ再設定メッセージによって設定されたリソースを用いて、更にリソース分割、再割り当てなどの動作を行う。
【００７９】
ＩＤＬＥ状態のＵＥ１がＳＩＢ２１を受信した場合、ＳＩＢ２１内のＸに送信リソースプールの情報Ｙが含まれていないことをＵＥ１がチェックして確認すると、ＩＤＬＥ状態のＵＥ１は、接続状態に入るＲＲＣ接続プロセスを開始する（ここで、第１ネットワーク機器と同じ又は異なる第２ネットワーク機器との接続を確立する）。ＵＥ１が第２ネットワーク機器から受信したリソース設定情報（例えばＲＲＣ再設定メッセージ）の中のＺ（例えばＳＬ−Ｖ２Ｘ−ＣｏｎｆｉｇＤｅｄｉｃａｔｅｄ−ｒ１４）にＺ２（例えばｓｃｈｅｄｕｌｅｄ−ｒ１４）が含まれていると、ＵＥ１は、Ｍｏｄｅ３（集中型リソーススケジューリングモード）に入り、基地局のスケジューリングに応じてＰＣ５インタフェース通信を行う。
【００８０】
具体的には、図４に示すように、ＵＥ１（トランスミッター（ｔｒａｎｓｍｉｔｔｅｒ））がＭｏｄｅ３（集中型リソーススケジューリングモード）に入り、基地局のスケジューリングに応じて、ＰＣ５インタフェース通信を行うことは、以下を含む。
ＵＥ１は、トラフィック関連情報（パケットサイズ、トラフィック周期など）、位置情報などを含む、ＵＥ１のリソーススケジューリング要求及び支援情報を、Ｕｕインタフェースを介してＬＴＥ基地局（第２ネットワーク機器）に報告する。
ＬＴＥ基地局は、ＮＲ  ｓｉｄｅｌｉｎｋ  Ｍｏｄｅ３リソース占有状況を設定する。
ＬＴＥ基地局は、ＤＣＩ  ｆｏｒｍａｔＮスケジューリングシグナリングをＵＥ１に送信する。
該ＵＥ１は、ＤＣＩ  ｆｏｒｍａｔＮで指示される情報に基づいて、ＳＩＢ２１又はＲＲＣによって再設定されたリソースを更に組み合わせて、分割して、リソースプールを効率的に利用する。
該ＵＥ１は、ＵＥ２（レシーバ（ｒｅｃｅｉｖｅｒ））とＮＲ  ｓｉｄｅｌｉｎｋ通信を行う。
【００８１】
この実施例では、ＳＩＢ２１に含まれるリソース設定情報は、ＬＴＥ基地局によって設定されるが、ＮＲネットワークは、様々なサブキャリア間隔（１５ｋＨｚ、３０ｋＨｚ、６０ｋＨｚ、１２０ｋＨｚ）、ＢＷＰ、より短い送信スロットｓｌｏｔなどの新しい特性を採用する。従って、ＮＲ  ＵＥ１は、ＳＩＢ２１及びＲＲＣによって再設定されたリソースを更に組み合わせて、分割して、リソースプールを効率的に利用する。
【００８２】
ＵＥ１は、ＬＴＥ基地局によって設定されたリソースを、ＮＲにおけるより小さい粒度で分割、再割り当て（ｒｅ−ｃｏｎｆｉｇｕｒａｔｉｏｎ）をし、これらの分割リソースを用いてＰＣ５インタフェースを介して他のＵＥとｓｉｄｅｌｉｎｋ通信を行う。
【００８３】
例３：
この例３は、ＳｙｓｔｅｍＩｎｆｏｒｍａｔｉｏｎＢｌｏｃｋ２１（ＳＩＢ２１）が他のシステムメッセージ又はＳＩＢｎ（例えばＳＩＢ２３であり、それに限定されない）によって置き換えられることが可能であることを除いて、例１と同じである。
【００８４】
例４：
この例４におけるＵＥの動作モードの決定は、図２に示されるように、例１と同じである。しかし、端末がＭｏｄｅ３に入りＵＥ２とＮＲ  ｓｉｄｅｌｉｎｋ通信を行う場合、図５に示すように、ＮＲ基地局は、ＬＴＥ基地局と通信を確立し、ＬＴＥ基地局は、ＮＲ基地局と接続しＸ２又はＸｎインタフェースを使用する。ＮＲ基地局は、ＮＲ  ｓｉｄｅｌｉｎｋの設定、スケジューリングなどの情報（即ちリソース設定情報）をＬＴＥ基地局に送信する。ＬＴＥ基地局は、これらの設定、スケジューリングなどの情報をＳＩＢ２１に載せてＵＥ１に設定する。
【００８５】
例５：
この例５におけるＵＥの動作モードの決定は、図２に示されるように、例２と同じである。しかし、端末がＭｏｄｅ３に入りＵＥ２とＮＲ  ｓｉｄｅｌｉｎｋ通信を行う場合、ＮＲ基地局は、ＬＴＥ基地局と通信を確立し、ＬＴＥ基地局は、ＮＲ基地局と接続してＸ２又はＸｎインタフェースを使用する。ＮＲ基地局は、ＮＲ  ｓｉｄｅｌｉｎｋの設定、スケジューリングなどの情報（即ちリソース設定情報）をＬＴＥ基地局に送信する。ＬＴＥ基地局は、これらの設定、スケジューリングなどの情報をＳＩＢｎに載せてＵＥ１に設定する。
【００８６】
例６：
図２に示すように、第１端末（例えば、ＩＤＬＥ状態のＵＥ１）がＳＩＢｎ（ＳｙｓｔｅｍＩｎｆｏｒｍａｔｉｏｎＢｌｏｃｋｎ）（例えばＮＲ基地局である第１ネットワーク機器からのリソース設定情報）を受信すると、ＵＥ１は、ＳＩＢｎ内のＸ（例えば、ＳＬ−Ｖ２Ｘ−ＣｏｎｆｉｇＣｏｍｍｏｎ−ｒ１４）に送信リソースプールの情報Ｙ（例えば、Ｖ２Ｘ−ＣｏｍｍＴｘＰｏｏｌＮｏｒｍａｌＣｏｍｍｏｎ−ｒ１４）が含まれているか否かをチェックする。ＩＤＬＥ状態のＵＥ１が受信したＳＩＢｎに送信リソースプールの情報Ｙ（例えば、Ｖ２Ｘ−ＣｏｍｍＴｘＰｏｏｌＮｏｒｍａｌＣｏｍｍｏｎ−ｒ１４）が含まれている場合、ＩＤＬＥ状態のＵＥ１は、分散型リソーススケジューリングモード（Ｍｏｄｅ４）に入り、該リソースプールの情報Ｙを直接利用してリソース選択プロセスを行う。
【００８７】
ＩＤＬＥ状態のＵＥ１がＳＩＢｎを受信した場合、ＳＩＢｎ内のＸに送信リソースプールの情報Ｙが含まれていないことをＵＥ１がチェックして確認すると、ＩＤＬＥ状態のＵＥ１は、接続状態に入るＲＲＣ接続プロセスを開始する（ここで、第１ネットワーク機器と同じ又は異なる第２ネットワーク機器との接続を確立する）。ＵＥ１が第２ネットワーク機器から受信したリソース設定情報（例えばＲＲＣ再設定メッセージ）の中のＺ（例えば、ＳＬ−Ｖ２Ｘ−ＣｏｎｆｉｇＤｅｄｉｃａｔｅｄ−ｒ１４）にＺ１（例えばｕｅ−Ｓｅｌｅｃｔｅｄ−ｒ１４）が含まれていると、ＵＥ１は、分散型リソーススケジューリングモード（Ｍｏｄｅ４）に入り、ＲＲＣ再設定メッセージによって設定されたリソースを用いてリソース選択プロセスを行う。
【００８８】
ＩＤＬＥ状態のＵＥ１がＳＩＢｎを受信した場合、ＳＩＢｎ内のＸに送信リソースプールの情報Ｙが含まれていないことをＵＥ１がチェックして確認すると、ＩＤＬＥ状態のＵＥ１は、接続状態に入るＲＲＣ接続プロセスを開始する（ここで、第１ネットワーク機器と同じ又は異なる第２ネットワーク機器との接続を確立する）。ＵＥ１が第２ネットワーク機器から受信したリソース設定情報（例えばＲＲＣ再設定メッセージ）の中のＺ（例えばＳＬ−Ｖ２Ｘ−ＣｏｎｆｉｇＤｅｄｉｃａｔｅｄ−ｒ１４）にＺ２（例えばｓｃｈｅｄｕｌｅｄ−ｒ１４）が含まれていると、ＵＥ１は、集中型リソーススケジューリングモード（Ｍｏｄｅ３）に入り、基地局のスケジューリングに応じて、ＰＣ５インタフェース通信を行う。
【００８９】
具体的には、図６に示すように、ＵＥ１が集中型リソーススケジューリングモード（Ｍｏｄｅ３）に入り、基地局のスケジューリングに応じて、ＰＣ５インタフェース通信を行うことは、以下を含む。
ＵＥ１（トランスミッター（ｔｒａｎｓｍｉｔｔｅｒ））は、トラフィック関連情報（パケットサイズ、トラフィック周期など）、位置情報などを含む、ＵＥ１のリソーススケジューリング要求及び支援情報を、Ｕｕインタフェースを介してＮＲ基地局に報告する。
ＮＲ基地局は、ＮＲ  ｓｉｄｅｌｉｎｋ  Ｍｏｄｅ３リソース占有状況を設定する。
ＮＲ基地局は、ＤＣＩ  ｆｏｒｍａｔＮスケジューリングシグナリングをＵＥ１に送信する。
該ＵＥ１は、ＤＣＩ  ｆｏｒｍａｔＮで指示される情報に基づいて、ＵＥ２（レシーバ（ｒｅｃｅｉｖｅｒ））とＮＲ  ｓｉｄｅｌｉｎｋ通信を行う。
【００９０】
例７：
ＮＲネットワークとＬＴＥネットワークカバレッジが同時に存在する場合、デュアルモジュールのＮＲ基地局は、ＮＲ  Ｕｕを介してＬＴＥ  ｓｉｄｅｌｉｎｋ及びＮＲ  ｓｉｄｅｌｉｎｋを設定してスケジューリングする。この実施例では、ＮＲ基地局は、ＬＴＥモジュールとＮＲモジュールとを含み、ＮＲモジュールは、上記の例６のような方法に従って端末１とやり取りし、ＵＥ１がＵＥ２とＮＲ  ｓｉｄｅｌｉｎｋ通信を行うように制御する。ＬＴＥモジュールは、実施例１から５のいずれかのような方法に従って、端末１とやり取りし、ＵＥ１がＵＥ２とＮＲ  ｓｉｄｅｌｉｎｋ通信を行うように制御する。
【００９１】
実施例８：
この例８におけるＵＥの動作モードの決定は、図２に示すように、例６と同じである。しかし、端末がＭｏｄｅ３に入りＵＥ２とＮＲ  ｓｉｄｅｌｉｎｋ通信を行う場合、図７に示すように、ＮＲ基地局は、ＬＴＥ基地局との通信を確立し、ＬＴＥ基地局は、ＮＲ基地局と接続しＸ２又はＸｎインタフェースを使用する。ＬＴＥ基地局は、ＬＴＥ  ｓｉｄｅｌｉｎｋの設定、スケジューリングなどの情報をＮＲ基地局に送信し、ＮＲ基地局は、これらの設定、スケジューリングなどの情報をシステムメッセージ、ＳＩＢ２１及びＲＲＣ再設定メッセージに載せる。
【００９２】
ＮＲ基地局は、Ｕｕインタフェースを介してＮＲ  ｓｉｄｅｌｉｎｋとＬＴＥ  ｓｉｄｅｌｉｎｋを設定してスケジューリングし、このときデュアルモジュールＵＥは、ＮＲ  Ｕｕインタフェースのメッセージを監視すればよい。
【００９３】
本開示の上記実施例において、ＳＩＢｎは、ＳＩＢ２３（それに限られない）等の他の任意の名称で置き換えることができる。Ｍｏｄｅ３及びＭｏｄｅ４は、Ｍｏｄｅ５及びＭｏｄｅ６（それに限られない）などの任意の他の名称で置き換えることができる。Ｘ、Ｙ、Ｚ、Ｚ１、Ｚ２は、他の任意の名称で置き換えることができる。Ｘｎインタフェースは、Ｘ３（それに限られない）などの他の任意の名称で置き換えることができる。ＬＴＥをサポートする第１基地局は、４Ｇのすべての基地局を広く指し、ＬＴＥ基地局、ＬＴＥ−Ａ基地局などを含む。ＵＥ１、ＵＥ２は、ＮＲ  Ｖ２Ｘ端末、路側機器など、ｓｉｄｅｌｉｎｋ通信を行う機器である。ＮＲ基地局及びＬＴＥ基地局は、Ｕｕインタフェースを介してＮＲ端末にＳＩＢｎを送信してＮＲ  ｓｉｄｅｌｉｎｋ通信を制御し、通信モード決定、リソースプール設定などを含む。ＳＩＢｎに含まれるリソース（プール）設定情報は、ＳＩＢ２１と異なる。ＬＴＥ基地局がＵｕインタフェースを介して送信するＳＩＢ２１設定メッセージをＮＲ端末に送信すると、ＮＲ端末は、得られたリソース（プール）を更に割り当て、分割して、リソースをより効率的に利用する。ＮＲネットワークとＬＴＥネットワークは、独立して動作し、両者は、同じコアネットワークにアクセスすることも、異なるコアネットワークにアクセスすることもできる。ＮＲネットワーク（基地局）は、Ｘ２インタフェース又はＸｎインタフェースを介してＬＴＥネットワーク（基地局）と接続を確立することによって通信し、ＮＲ  ｓｉｄｅｌｉｎｋリソース設定、スケジューリングなどの情報を交換する。
【００９４】
本開示の上記実施例は、ＬＴＥとＮＲ  Ｖ２Ｘとの通信に応用される。ＮＲ基地局とＬＴＥ基地局がＵｕインタフェースを介してＮＲ  ｓｉｄｅｌｉｎｋを制御してスケジューリングする方法により、ＮＲ  Ｖ２Ｘ端末の通信範囲を拡大し、リソース（プール）の利用効率を高め、システムの性能と安定性を向上させる。
【００９５】
本開示の実施例は、端末を更に提供する。前記端末は、新規無線システムＮＲ通信をサポートする第１端末であって、第１ネットワーク機器から送信されたリソース設定情報を受信するトランシーバと、前記第１ネットワーク機器から送信されたリソース設定情報に第１所定情報が含まれている場合、分散型リソーススケジューリングモードに入って第２端末とサイドリンク通信を行い、そうでない場合、前記第１ネットワーク機器と同一又は異なるネットワーク機器である第２ネットワーク機器との接続を確立し、前記第２ネットワーク機器から送信されたリソース設定情報を受信し、前記第２ネットワーク機器から送信されたリソース設定情報に第２所定情報が含まれている場合、前記分散型リソーススケジューリングモード（Ｍｏｄｅ４）に入って第２端末とサイドリンク通信を行い、前記第２ネットワーク機器から送信されたリソース設定情報に第３所定情報が含まれている場合、集中型リソーススケジューリングモード（Ｍｏｄｅ３）に入って第２端末とサイドリンク通信を行うプロセッサとを含む。
【００９６】
前記リソース設定情報は、新規システム情報ブロックＳＩＢＮｅｗであり、前記ＳＩＢＮｅｗは、システム情報ブロックＳＩＢ２１、システム情報ブロックＳＩＢ２３又はＳＩＢＮを含み、前記ＳＩＢＮは、ＳＩＢ２１、ＳＩＢ２３を除く所定システム情報を含む。
【００９７】
前記分散型リソーススケジューリングモードに入って第２端末とサイドリンク通信を行う場合、前記プロセッサは、前記第１ネットワーク機器から送信されたリソース設定情報のリソースプール情報から、設定されたリソースプール情報を利用してリソース選択を行い、選択されたリソースと前記第１所定情報とに基づいて、前記第２端末とサイドリンク通信を行う。
【００９８】
前記第２所定情報は、端末選択メッセージを含み、前記第３所定情報は、ユーザスケジューリングメッセージを含む。
【００９９】
第２ネットワーク機器との接続を確立し、前記第２ネットワーク機器から送信されたリソース設定情報を受信する場合、前記プロセッサは、前記第２ネットワーク機器との接続を確立し、前記第２ネットワーク機器から送信された無線リソース制御シグナリングＲＲＣメッセージを受信し、前記ＲＲＣメッセージに基づいて、前記リソース設定情報を取得する。
【０１００】
集中型リソーススケジューリングモードに入って第２端末とサイドリンク通信を行う場合、前記プロセッサは、前記第２ネットワーク機器にリソーススケジューリング要求をＵｕインタフェースを介して送信し、前記第２ネットワーク機器から送信された集中型リソーススケジューリングモードでのリソース設定情報を受信し、前記集中型リソーススケジューリングモードでのリソース設定情報に基づいて、前記第２端末とサイドリンク通信を行う。
【０１０１】
前記第２ネットワーク機器にリソーススケジューリング要求をＵｕインタフェースを介して送信する前に、前記プロセッサは、Ｕｕインタフェースを介して前記第２ネットワーク機器と初期化プロセスを行う。
【０１０２】
前記第２ネットワーク機器から送信された集中型リソーススケジューリングモードでのリソース設定情報を受信することは、前記第２ネットワーク機器から送信された下り制御情報ＤＣＩ  ＦｏｒｍａｔＮを受信することと、前記ＤＣＩ  ＦｏｒｍａｔＮに基づいて、集中型リソーススケジューリングモードでのリソース設定情報を取得することとを含む。
【０１０３】
ここで、前記ＤＣＩ  ＦｏｒｍａｔＮは、スケジューリング方式指示、送信トラフィックの時間領域リソース粒度指示、送信トラフィックの時間周波数領域リソース位置指示、クロスキャリアスケジューリング指示、周波数ホッピング指示、周波数ホッピングリソース位置指示、変調復調レベル、帯域幅部分ＢＷＰ指示、及び周波数領域リソースサブキャリア間隔のうちの少なくとも１つを含む、請求項８に記載のサイドリンク通信方法。
【０１０４】
ここで、本開示の一部実施例において、前記ＤＣＩ  ＦｏｒｍａｔＮは、半持続スケジューリング活性化／非活性化指示を含む。
【０１０５】
前記集中型リソーススケジューリングモードでのリソース設定情報に基づいて、前記第２端末とサイドリンク通信を行う場合、前記プロセッサは、前記集中型リソーススケジューリングモードでのリソース設定情報によって設定されたリソース上で、スケジューリング制御シグナリングＳＡ及び／又はトラフィック情報を第２端末に送信する。
【０１０６】
前記第１端末がＵｕインタフェースを介して前記第２ネットワーク機器と初期化プロセスを行う前に、前記プロセッサは、更に、前記集中型リソーススケジューリングモードでのリソース設定情報を前記第２ネットワーク機器が第１ネットワーク機器から取得する。
【０１０７】
前記第２端末とサイドリンク通信を行う前に、前記プロセッサは、更に、前記リソース設定情報によって設定されたリソースのリソース分割及び／又は再割り当てを行う。
【０１０８】
ここで、前記リソース設定情報は、通信モード指示、サブキャリア間隔指示、送信トラフィックの時間領域リソース粒度指示、送信トラフィックの時間周波数領域リソース位置指示、送受信をサポートするキャリアインデックス、サポート可能なキャリア毎にサポート可能な帯域幅部分ＢＷＰインデックス、帯域幅部分ＢＷＰインデックスに対応するパラメータ、及び時分割多重ＴＤＭ／周波数分割多重ＦＤＭ指示のうちの少なくとも１つを含む。
【０１０９】
ここで、前記通信モード指示は、分散型リソーススケジューリングモード又は集中型リソーススケジューリングモードを含む。
【０１１０】
ここで、前記帯域幅部分ＢＷＰインデックスに対応するパラメータは、トラフィック送信をサポート可能な時間領域リソース粒度と周波数領域リソースサブキャリア間隔設定及び／又は帯域幅部分インデックスに対応する周波数領域リソース位置を含む。
【０１１１】
上記実施例において、前記第１ネットワーク機器は、ロングタームエボリューション技術ＬＴＥ、ＬＴＥ−Ａ又はｅＬＴＥをサポートする第１基地局、又はＮＲシステムをサポートする第２基地局であり、前記第２ネットワーク機器は、ＮＲシステムをサポートする第２基地局、又はロングタームエボリューション技術ＬＴＥ、ＬＴＥ−Ａ又はｅＬＴＥをサポートする第１基地局である。
【０１１２】
上記方法実施例におけるすべての実現方式は、いずれも該端末の実施例に適用し、同じ技術効果を奏することもできる。
【０１１３】
本開示の実施例は、新規無線システムＮＲ通信をサポートする第１端末に応用される同期信号ブロックの測定値の測定装置を更に提供し、第１ネットワーク機器から送信されたリソース設定情報を受信する送受信モジュールと、前記第１ネットワーク機器から送信されたリソース設定情報に第１所定情報が含まれている場合、分散型リソーススケジューリングモードに入って第２端末とサイドリンク通信を行い、そうでない場合、前記第１ネットワーク機器と同一又は異なるネットワーク機器である第２ネットワーク機器との接続を確立し、前記第２ネットワーク機器から送信されたリソース設定情報を受信し、前記第２ネットワーク機器から送信されたリソース設定情報に第２所定情報が含まれている場合、前記分散型リソーススケジューリングモードに入って第２端末とサイドリンク通信を行い、前記第２ネットワーク機器から送信されたリソース設定情報に第３所定情報が含まれている場合、集中型リソーススケジューリングモードに入って第２端末とサイドリンク通信を行う処理モジュールとを含む。
【０１１４】
なお、該装置の実施例は、上記方法に対応する装置であり、上記方法実施例におけるすべての実現方式は、いずれも該端末に実施例に適用し、同じ技術効果を奏することもできる。
【０１１５】
図８に示すように、本開示の実施例は、端末８０を更に提供する。前記端末は、少なくとも新規無線システムＮＲ通信をサポートする第１端末であって、第１ネットワーク機器から送信されたリソース設定情報を受信する機能と、前記第１ネットワーク機器から送信されたリソース設定情報に第１所定情報が含まれている場合、分散型リソーススケジューリングモードに入って第２端末とサイドリンク通信を行い、そうでない場合、前記第１ネットワーク機器と同一又は異なるネットワーク機器である第２ネットワーク機器との接続を確立し、前記第２ネットワーク機器から送信されたリソース設定情報を受信する機能と、前記第２ネットワーク機器から送信されたリソース設定情報に第２所定情報が含まれている場合、前記分散型リソーススケジューリングモードに入って第２端末とサイドリンク通信を行う機能と、前記第２ネットワーク機器から送信されたリソース設定情報に第３所定情報が含まれている場合、集中型リソーススケジューリングモードに入って第２端末とサイドリンク通信を行う機能とを実行するように設定されたプロセッサ８２を含む。
【０１１６】
上記方法実施例におけるすべての実現方式は、いずれも該端末の実施例に適用し、同じ技術効果を奏することもできる。上記端末８０は、バスインタフェース又はインタフェースを介して上記プロセッサ８２又はトランシーバ８１と通信可能に接続されたメモリ８３を更に含んでもよい。上記トランシーバ８１の機能は、プロセッサ８２によって実現可能である。本開示の端末は、ユーザインタフェースなど、上記方法を実現する他の設定要素を更に含んでもよい。
【０１１７】
本開示の実施例は、ネットワーク機器に応用される端末のサイドリンク通信の制御方法を提供し、少なくとも新規無線システムＮＲ通信をサポートする第１端末にリソース設定情報を送信することと、前記第１ネットワーク機器から送信されたリソース設定情報に第１所定情報が含まれている場合、分散型リソーススケジューリングモードに入って第２端末とサイドリンク通信を行うように端末を制御し、そうでない場合、前記第１ネットワーク機器と同一又は異なるネットワーク機器である第２ネットワーク機器との接続を確立するように第１端末を制御し、第２ネットワーク機器から前記第１端末にリソース設定情報を送信することと、前記第２ネットワーク機器から端末に送信されたリソース設定情報に第２所定情報が含まれている場合、前記分散型リソーススケジューリングモードに入って第２端末とサイドリンク通信を行うように端末を制御することと、前記第２ネットワーク機器から端末に送信されたリソース設定情報に第３所定情報が含まれている場合、集中型リソーススケジューリングモードに入って第２端末とサイドリンク通信を行うように端末を制御することとを含む。
【０１１８】
前記リソース設定情報は、新規システム情報ブロックＳＩＢＮｅｗであり、前記ＳＩＢＮｅｗは、システム情報ブロックＳＩＢ２１、システム情報ブロックＳＩＢ２３又はＳＩＢＮを含み、前記ＳＩＢＮは、ＳＩＢ２１、ＳＩＢ２３を除く所定システム情報を含む。
【０１１９】
集中型リソーススケジューリングモードに入って第２端末とサイドリンク通信を行うように端末を制御することは、前記第１端末から送信されたリソーススケジューリング要求を受信することと、集中型リソーススケジューリングモードでのリソース設定情報を前記第１端末に送信することとを含み、それによって、前記第１端末は、前記集中型リソーススケジューリングモードでのリソース設定情報に基づいて、前記第２端末とサイドリンク通信を行う。
【０１２０】
ここで、前記端末のサイドリンク通信の制御方法は、前記第１端末から送信されたリソーススケジューリング要求を受信する前に、前記第１端末と初期化プロセスを行うことを更に含む。
【０１２１】
ここで、集中型リソーススケジューリングモードでのリソース設定情報を前記第１端末に送信することは、集中型リソーススケジューリングモードでのリソース設定情報が運ばれた下り制御情報ＤＣＩ  ＦｏｒｍａｔＮを前記第１端末に送信することを含む。
【０１２２】
ここで、前記ＤＣＩ  ＦｏｒｍａｔＮは、スケジューリング方式指示、送信トラフィックの時間領域リソース粒度指示、送信トラフィックの時間周波数領域リソース位置指示、クロスキャリアスケジューリング指示、周波数ホッピング指示、周波数ホッピングリソース位置指示、変調復調レベル、帯域幅部分ＢＷＰ指示、及び周波数領域リソースサブキャリア間隔のうちの少なくとも１つを含む。
【０１２３】
本開示の一部実施例において、前記ＤＣＩ  ＦｏｒｍａｔＮは、半持続スケジューリング活性化／非活性化指示を含む。
【０１２４】
ここで、前記端末のサイドリンク通信の制御方法は、前記第１端末と初期化プロセスを行う前に、前記集中型リソーススケジューリングモードでのリソース設定情報を前記第２ネットワーク機器が第１ネットワーク機器から取得することを更に含む。
【０１２５】
ここで、前記リソース設定情報は、通信モード指示、サブキャリア間隔指示、送信トラフィックの時間領域リソース粒度指示、送信トラフィックの時間周波数領域リソース位置指示、送受信をサポートするキャリアインデックス、サポート可能なキャリア毎にサポート可能な帯域幅部分ＢＷＰインデックス、帯域幅部分ＢＷＰインデックスに対応するパラメータ、及び時分割多重ＴＤＭ／周波数分割多重ＦＤＭ指示のうちの少なくとも１つを含む。
【０１２６】
上記実施例において、前記第１ネットワーク機器は、ロングタームエボリューション技術ＬＴＥ、ＬＴＥ−Ａ又はｅＬＴＥをサポートする第１基地局、又はＮＲシステムをサポートする第２基地局であり、前記第２ネットワーク機器は、ＮＲシステムをサポートする第２基地局、又はロングタームエボリューション技術ＬＴＥ、ＬＴＥ−Ａ又はｅＬＴＥをサポートする第１基地局である。
【０１２７】
なお、該ネットワーク機器側の方法は、上記端末側の方法に対応する方法であり、上記方法におけるすべてのやり取り方法及び実施例は、いずれも該ネットワーク機器の方法に適用し、同じ技術効果を奏することもできる。
【０１２８】
図９に示すように、本開示の実施例は、ネットワーク機器９０を更に提供する。前記ネットワーク機器９０は、第１ネットワーク機器であって、少なくとも新規無線システムＮＲ通信をサポートする第１端末にリソース設定情報を送信するトランシーバ９１と、前記第１ネットワーク機器から送信されたリソース設定情報に第１所定情報が含まれている場合、分散型リソーススケジューリングモードに入って第２端末とサイドリンク通信を行うように端末を制御し、そうでない場合、前記第１ネットワーク機器と同一又は異なるネットワーク機器である第２ネットワーク機器との接続を確立するように第１端末を制御し、第２ネットワーク機器から前記第１端末にリソース設定情報を送信し、前記第２ネットワーク機器から端末に送信されたリソース設定情報に第２所定情報が含まれている場合、前記分散型リソーススケジューリングモードに入って第２端末とサイドリンク通信を行うように端末を制御し、前記第２ネットワーク機器から端末に送信されたリソース設定情報に第３所定情報が含まれている場合、集中型リソーススケジューリングモードに入って第２端末とサイドリンク通信を行うように端末を制御するプロセッサ９２とを含む。
【０１２９】
なお、該ネットワーク機器９０は、バスインタフェース又はインタフェースを介して上記プロセッサ９２又はトランシーバ９１と通信可能に接続されたメモリ９３を更に含んでもよい。上記トランシーバ９１の機能は、プロセッサ９２によって実現可能である。また、該ネットワーク機器は、上記ネットワーク機器側の方法に対応する機器であり、上記方法におけるすべてのやり取り方法及び実施例は、いずれも該ネットワーク機器に適用し、同じ技術効果を奏することもできる。
【０１３０】
本開示の実施例は、第１ネットワーク機器に応用される端末のサイドリンク通信の制御装置を更に提供し、少なくとも新規無線システムＮＲ通信をサポートする第１端末にリソース設定情報を送信する送受信モジュールと、前記第１ネットワーク機器から送信されたリソース設定情報に第１所定情報が含まれている場合、分散型リソーススケジューリングモードに入って第２端末とサイドリンク通信を行うように端末を制御し、そうでない場合、前記第１ネットワーク機器と同一又は異なるネットワーク機器である第２ネットワーク機器との接続を確立するように第１端末を制御し、第２ネットワーク機器から前記第１端末にリソース設定情報を送信し、前記第２ネットワーク機器から端末に送信されたリソース設定情報に第２所定情報が含まれている場合、前記分散型リソーススケジューリングモードに入って第２端末とサイドリンク通信を行うように端末を制御し、前記第２ネットワーク機器から端末に送信されたリソース設定情報に第３所定情報が含まれている場合、集中型リソーススケジューリングモードに入って第２端末とサイドリンク通信を行うように端末を制御する処理モジュールとを含む。
【０１３１】
なお、該装置は、上記ネットワーク機器側の方法に対応する装置であり、上記方法におけるやり取りされるすべての方法及び実施例は、いずれも該装置に適用し、同じ技術効果を奏することもできる。
【０１３２】
本開示の実施例は、指令を含むコンピュータ記憶媒体を更に提供し、前記指令がコンピュータで実行されると、上記すべての実施例における方法をコンピュータに実行させる。
【０１３３】
本明細書に開示された実施例に記載の各例のユニット及びアルゴリズムのステップが、電子ハードウェア、又はコンピュータソフトウェアと電子ハードウェアの組み合わせによって実現可能であることは、当業者が理解できる。これらの機能がいったいハードウェアによって実行されるか、それともソフトウェアによって実行されるかは、技術手段の特定な応用や設計の制限条件によって決められる。当業者は、各特定な応用に対し、異なる方法によって記載の機能を実現することができるが、これらの実現は、本開示の範囲を超えたものとされるべきではない。
【０１３４】
記載の便利や簡潔化のために、以上記載したシステム、装置及びユニットの具体的な動作プロセスは、前記方法実施例における対応プロセスを参照されたく、ここでは繰り返して記載しない。これは、当業者にとって自明である。
【０１３５】
本開示で提供されるいくつかの実施例において、開示された装置及び方法は、他の方式で実施されることを理解されたい。以上記載した装置実施例は、単に例示的なものである。例えば、記載したユニットの区分は、単に論理機能の区分であり、実際に実現する際に別の区分方式がある。例えば、複数のユニット又はコンポーネントは、組み合わせてもよく、別のシステムに一体化されてもよく、又は、一部の特徴は、無視されてもよく、又は実行されなくてもよい。また、示されており又は議論されている各設定部分の相互間の結合や直接結合や通信接続は、インタフェース、装置又はユニットを介した間接結合や通信接続であってもよく、電気的、機械的、又は他の形式であってもよい。
【０１３６】
以上個別部品として説明したユニットは、物理的に離間したものであってもよく、そうでなくてもよい。ユニットとして示した部品は、物理ユニットであってもよく、そうでなくてもよい。即ち、一箇所に位置してもよく、複数のネットワークユニットに分散して位置してもよい。実際の必要に応じてそのうちの一部又はすべてのユニットを選択して本開示の実施例の目的を実現する。
【０１３７】
また、本開示の各実施例における各機能的ユニットは、１つの処理ユニットに一体化されていてもよいし、物理的に別々に設けられていてもよいし、２つ以上が一体化されてもよい。
【０１３８】
前記機能は、ソフトウェア機能モジュールの形式で実現され独立した製品として販売又は使用される場合、コンピュータ読み取り可能な記憶媒体に格納されてもよい。このような理解に基づき、本開示の技術手段の実質的又は従来技術に貢献した部分、又は当該技術手段の部分は、ソフトウェアプロダクトの形式で現れる。当該コンピュータソフトウェアプロダクトは、記憶媒体に記憶され、本開示の各実施例に記載の方法のすべて又は一部のステップをコンピュータ装置（パーソナルコンピュータ、サーバ、又はネットワーク装置であってもよい）に実行させるいくつかの指令を含む。前記記憶媒体は、Ｕディスク、モバイルハードディスク、ＲＯＭ、ＲＡＭ、磁気ディスク又は光ディスクなど、プログラムコードを格納することができる様々な媒体を含む。
【０１３９】
なお、本開示の装置と方法において、各部品又は各ステップは、分解及び／又は再度の組み合わせが可能である。これらの分解及び／又は再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、又は、互いに独立に実行されてもよい。当業者にとって、本開示の方法及び装置のすべて又は任意のステップや部品は、任意の計算装置（プロセッサ、記憶媒体などを含む）や計算装置のネットワークでハードウェア、ファームウェア、ソフトウェア又はそれらの組み合わせによって実現できることが理解できる。これは、当業者が本開示の説明を閲読して基本的なプログラミング技能を活用して実現できることである。
【０１４０】
従って、本開示の目的は、任意の計算装置で１つ又は一連のプログラムを実行することによっても実現できる。前記計算装置は、周知されている汎用装置である。したがって、本開示の目的は、前記方法又は装置を実現するプログラムコードを含むプログラムプロダクトの提供のみでも実現できる。即ち、このようなプログラムプロダクトも本開示を構成し、しかもこのようなプログラムプロダクトを記憶した記憶媒体も本開示を構成する。明らかに、前記記憶媒体は、任意の周知される記憶媒体又は将来開発される任意の記憶媒体である。なお、本開示の装置と方法において、各部品又は各ステップは、分解及び／又は再度の組み合わせが可能である。これらの分解及び／又は再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、又は、互いに独立に実行されてもよい。
【０１４１】
以上記載されたのは、本開示の選択可能な実施形態である。当業者は、本開示に記載されている原理を逸脱せずに様々な改良や修飾をすることもできる。これらの改良や修飾も、本開示の保護範囲内にある。
【国際調査報告】
2021534694.tif 000012
2021534694.tif 000013
2021534694.tif 000014
2021534694.tif 000015